(57)【要約】【課題】既存のカメラ本体部のファームアップや新規なカメラ本体部の導入を行うことなく、多様な操作を受け付けることができる外部機器、カメラシステム、撮像方法およびプログラムを提供する。【解決手段】交換レンズ装置３の操作種別に対応した操作画像データと操作画像データを表示部２１１で表示する際の表示領域とを含む操作情報と、操作種別に応じた交換レンズ装置３の動作に関する動作情報とを記憶するレンズ操作データ記憶部３０９ａと、表示部２１１に操作画像データに対応する操作画像を表示させる制御を行うとともに、表示部２１１が操作画像を表示している場合において、本体部２からタッチ位置情報を受信したとき、このタッチ位置情報と操作情報とによって定まる動作情報に基づいて、交換レンズ装置３の駆動制御を行うレンズ制御部３１２と、を備える。【選択図】図２
2013026664.tif 000002
【特許請求の範囲】
【請求項１】
光電変換を行うことによって画像データを生成する撮像素子と、前記撮像素子が生成した前記画像データに対応する画像を表示する表示部と、前記表示部の表示画面上に設けられ、外部からの物体のタッチを検出し、検出したタッチ位置を含むタッチ位置情報を出力するタッチパネルとを有するレンズ交換式カメラシステムの本体部に対して着脱自在であり、前記本体部と双方向に通信可能な外部機器であって、
当該外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部と、
前記本体部に装着された際に前記操作情報を前記本体部に送信して前記表示部に前記操作画像データに対応する操作画像を表示させる制御を行うとともに、前記表示部が前記操作画像を表示している場合において、前記本体部から前記タッチ位置情報を受信したとき、該タッチ位置情報と前記操作情報とによって定まる前記動作情報に基づいて、当該外部機器の駆動制御を行う外部機器制御部と、
を備えたことを特徴とする外部機器。
【請求項２】
前記外部機器記憶部は、前記操作画像データに対応付けられ、当該外部機器の性能を示す性能情報と前記操作画像の操作内容を示すガイド情報とを含む操作対応データをさらに記憶し、
前記外部機器制御部は、前記表示部が前記操作画像を表示している場合において、前記本体部から前記タッチ位置情報を受信したとき、少なくとも該タッチ位置情報によって選択された前記操作対応データを前記本体部に送信して前記表示部に表示させることを特徴とする請求項１に記載の外部機器。
【請求項３】
前記外部機器制御部は、前記表示部が前記操作画像を表示している場合において、前記本体部から受信した前記タッチ位置が前記表示領域以外の領域に含まれるとき、前記表示部が表示する前記操作画像を削除することを特徴とする請求項１または２に記載の外部機器。
【請求項４】
所定の視野領域から光を集光する交換レンズ装置であることを特徴とする請求項１〜３のいずれか一つに記載の外部機器。
【請求項５】
所定の視野領域に向けて発光する外付けストロボ装置、前記画像データに対応する画像を表示する電子ビューファインダ、所定の領域から音声を集音して録音する録音マイク、当該外部機器の位置情報を取得するＧＰＳ装置および双方向に通信可能な通信装置のいずれかであることを特徴とする請求項１〜３のいずれか一つに記載の外部機器。
【請求項６】
光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムであって、
前記外部機器は、
前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部と、
前記本体部に装着された際に前記操作情報および前記動作情報を前記本体部に送信する外部機器制御部と、
を備え、
前記本体部は、
前記外部機器制御部から送信された前記操作情報に含まれる前記操作画像データに対応する操作画像を前記表示部に表示させるとともに、前記操作画像上で前記タッチパネルが前記タッチ位置情報を出力した場合、該タッチ位置情報と前記操作画像とによって定まる前記動作情報に基づいて、前記外部機器の動作を指示する信号を前記外部機器へ送信する本体制御部と、
を備えることを特徴とするカメラシステム。
【請求項７】
前記本体部は、互いに異なる複数の前記外部機器を装着可能であり、
前記本体制御部は、前記外部機器が前記本体部に複数装着された場合、各外部機器から送信された前記操作情報の切換えの指示入力を受け付ける切換情報を前記表示部に表示させることを特徴とする請求項６に記載のカメラシステム。
【請求項８】
前記外部機器は、所定の視野領域から光を集光する交換レンズ装置、所定の視野領域に向けて発光する外付けストロボ装置、前記画像データに対応する画像を表示する電子ビューファインダ、所定の領域から音声を集音して録音する録音マイク、当該外部機器の位置情報を取得するＧＰＳ装置および双方向に通信可能な通信装置のいずれかであることを特徴とする請求項６または７に記載のカメラシステム。
【請求項９】
光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムで実行する撮像方法であって、
前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部から前記操作情報を前記本体部に送信して前記表示部に前記操作画像データに対応する操作画像を表示させる表示ステップと、
前記表示ステップで前記操作画像を表示している場合において、前記本体部から前記タッチ位置情報を受信したとき、該タッチ位置情報と前記操作情報とによって定まる前記動作情報に基づいて、前記外部機器の駆動制御を行う駆動制御ステップと、
を含むことを特徴とする撮像方法。
【請求項１０】
光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムに実行させるプログラムであって、
前記外部機器が前記本体部に装着された際に、前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部から前記操作情報を前記本体部に送信して前記表示部に前記操作画像データに対応する操作画像を表示させる表示ステップと、
前記表示ステップで前記操作画像を表示している場合において、前記本体部から前記タッチ位置情報を受信したとき、該タッチ位置情報と前記操作情報とによって定まる前記動作情報に基づいて、前記外部機器の駆動制御を行う駆動制御ステップと、
を実行させることを特徴とするプログラム。
【発明の詳細な説明】
【技術分野】
【０００１】
本発明は、デジタル一眼レフカメラの本体部に着脱自在な交換レンズ装置および外付けストロボ装置を含む外部機器、カメラシステム、撮像方法およびプログラムに関する。
【背景技術】
【０００２】
近年、映像機器の進歩は著しく、特にデジタルカメラ等の撮像装置の分野では、消費者の要望に応じて撮影に関する機能が年々豊富になることで、撮像装置のカメラ本体部（ボディー）に着脱自在な交換レンズや外付けストロボ等のアクセサリ類を含む外部機器も次々と発売されている。
【０００３】
ところで、撮像装置の本体部に交換レンズ装置が装着された場合、カメラ本体部が装着された交換レンズ装置からレンズの型名、概観図およびレンズ構成画像等のレンズ情報を取得して表示モニタに表示するカメラシステムが知られている（たとえば特許文献１を参照）。
【先行技術文献】
【特許文献】
【０００４】
【特許文献１】特開２０１０−１８１７２５号公報
【発明の概要】
【発明が解決しようとする課題】
【０００５】
しかしながら、上述した技術では、本体部が交換レンズ装置から取得したレンズ情報の表示しか行っていない。このため、撮像装置に装着される交換レンズ装置が既製のレンズと機能的に異なる新規な操作機能やレンズ特有の操作機能等を有する場合、既製のカメラ本体部は、ファームウエアのアップデートが必要になるうえ、操作性の劣化を招く可能性がる。この場合、ユーザは、既製のカメラ本体部では操作機能等が制限されるため、全ての機能を使用するためには、新たにカメラ本体部を購入しなければならない問題点がある。
【０００６】
また、上述したような問題は、交換レンズ装置に限らず、外付けストロボ装置等のアクセサリについても発生する可能性がある。
【０００７】
本発明は、上記に鑑みてなされたものであって、既存のカメラ本体部のファームアップや新規なカメラ本体部の導入を行うことなく、多様な操作を受け付けることができる外部機器、カメラシステム、撮像方法およびプログラムを提供することを目的とする。
【課題を解決するための手段】
【０００８】
上述した課題を解決し、目的を達成するために、本発明にかかる外部機器は、  光電変換を行うことによって画像データを生成する撮像素子と、前記撮像素子が生成した前記画像データに対応する画像を表示する表示部と、前記表示部の表示画面上に設けられ、外部からの物体のタッチを検出し、検出したタッチ位置を含むタッチ位置情報を出力するタッチパネルとを有するレンズ交換式カメラシステムの本体部に対して着脱自在であり、前記本体部と双方向に通信可能な外部機器であって、当該外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部と、前記本体部に装着された際に前記操作情報を前記本体部に送信して前記表示部に前記操作画像データに対応する操作画像を表示させる制御を行うとともに、前記表示部が前記操作画像を表示している場合において、前記本体部から前記タッチ位置情報を受信したとき、該タッチ位置情報と前記操作情報とによって定まる前記動作情報に基づいて、当該外部機器の駆動制御を行う外部機器制御部と、を備えたことを特徴とする。
【０００９】
また、本発明にかかる外部機器は、上記発明において、前記外部機器記憶部は、前記操作画像データに対応付けられ、当該外部機器の性能を示す性能情報と前記操作画像の操作内容を示すガイド情報とを含む操作対応データをさらに記憶し、前記外部機器制御部は、前記表示部が前記操作画像を表示している場合において、前記本体部から前記タッチ位置情報を受信したとき、少なくとも該タッチ位置情報によって選択された前記操作対応データを前記本体部に送信して前記表示部に表示させることを特徴とする。
【００１０】
また、本発明にかかる外部機器は、上記発明において、前記外部機器制御部は、前記表示部が前記操作画像を表示している場合において、前記本体部から受信した前記タッチ位置が前記表示領域以外の領域に含まれるとき、前記表示部が表示する前記操作画像を削除することを特徴とする。
【００１１】
また、本発明にかかる外部機器は、上記発明において、所定の視野領域から光を集光する交換レンズ装置であることを特徴とする。
【００１２】
また、本発明にかかる外部機器は、上記発明において、所定の視野領域に向けて発光する外付けストロボ装置、前記画像データに対応する画像を表示する電子ビューファインダ、所定の領域から音声を集音して録音する録音マイク、当該外部機器の位置情報を取得するＧＰＳ装置および双方向に通信可能な通信装置のいずれかであることを特徴とする。
【００１３】
また、本発明にかかるカメラシステムは、光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムであって、前記外部機器は、前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部と、前記本体部に装着された際に前記操作情報および前記動作情報を前記本体部に送信する外部機器制御部と、を備え、前記本体部は、前記外部機器制御部から送信された前記操作情報に含まれる前記操作画像データに対応する操作画像を前記表示部に表示させるとともに、前記操作画像上で前記タッチパネルが前記タッチ位置情報を出力した場合、該タッチ位置情報と前記操作画像とによって定まる前記動作情報に基づいて、前記外部機器の動作を指示する信号を前記外部機器へ送信する本体制御部と、を備えることを特徴とする。
【００１４】
また、本発明にかかるカメラシステムは、上記発明において、前記本体部は、互いに異なる複数の前記外部機器を装着可能であり、前記本体制御部は、前記外部機器が前記本体部に複数装着された場合、各外部機器から送信された前記操作情報の切換えの指示入力を受け付ける切換情報を前記表示部に表示させることを特徴とする。
【００１５】
また、本発明にかかるカメラシステムは、上記発明において、前記外部機器は、所定の視野領域から光を集光する交換レンズ装置、所定の視野領域に向けて発光する外付けストロボ装置、前記画像データに対応する画像を表示する電子ビューファインダ、所定の領域から音声を集音して録音する録音マイク、当該外部機器の位置情報を取得するＧＰＳ装置および双方向に通信可能な通信装置のいずれかであることを特徴とする。
【００１６】
また、本発明にかかる撮像方法は、光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムで実行する撮像方法であって、前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部から前記操作情報を前記本体部に送信して前記表示部に前記操作画像データに対応する操作画像を表示させる表示ステップと、前記表示ステップで前記操作画像を表示している場合において、前記本体部から前記タッチ位置情報を受信したとき、該タッチ位置情報と前記操作情報とによって定まる前記動作情報に基づいて、前記外部機器の駆動制御を行う駆動制御ステップと、を含むことを特徴とする。
【００１７】
また、本発明にかかるプログラムは、光電変換を行うことによって画像データを生成する撮像素子と、前記撮像素子が生成した前記画像データに対応する画像を表示する表示部と、外部からの物体のタッチを検出し、検出したタッチ位置を含むタッチ位置情報を出力するタッチパネルとを有する本体部と、前記本体部に着脱自在であり、前記本体部と双方向に通信可能な外部機器とを備えたカメラシステムに実行させるプログラムであって、前記外部機器が前記本体部に装着された際に、前記外部機器の操作種別に対応する操作画像データと該操作画像データを前記表示部で表示する際の表示領域とを含む操作情報と、前記操作種別に応じた当該外部機器の動作に関する動作情報とを記憶する外部機器記憶部から前記操作情報を前記本体部に送信して前記表示部に前記操作画像データに対応する操作画像を表示させる表示ステップと、前記表示ステップで前記操作画像を表示している場合において、前記本体部から前記タッチ位置情報を受信したとき、該タッチ位置情報と前記操作情報とによって定まる前記動作情報に基づいて、前記外部機器の駆動制御を行う駆動制御ステップと、を実行させることを特徴とする。
【発明の効果】
【００１８】
本発明によれば、外部機器の外部機器制御部が、外部機器記憶部が記憶する操作種別毎の操作画像データと操作画像データを表示部に表示する際の表示領域とを含む操作情報を本体部に送信して表示部に操作画像データに対応する操作画像を表示させる一方、表示部が操作画像を表示している場合において、本体部からタッチパネルによって検出されたタッチ位置情報を受信したとき、このタッチ位置情報と操作情報とによって定まる動作情報に基づいて、外部機器の駆動制御を行う。この結果、既存の本体部でファームアップや新規な本体部の導入を行うことなく、多様な操作を受け付けることができるという効果を奏する。
【図面の簡単な説明】
【００１９】
【図１】図１は、本発明の実施の形態１にかかる交換レンズ装置が装着されるカメラシステムの模式的な構成図である。
【図２】図２は、本発明の実施の形態１にかかる交換レンズ装置が装着されるカメラシステムの構成を示すブロック図である。
【図３】図３は、図１の矢視Ａ方向のカメラシステムの背面図である。
【図４】図４は、本発明の実施の形態１にかかるレンズ操作データ記憶部が記憶するレンズ操作データとしてレンズ操作データテーブルの一例を示す図である。
【図５】図５は、本発明の実施の形態１にかかるレンズ駆動データ記憶部が記憶するレンズ駆動データとしてのレンズ駆動データテーブルの一例を示す図である。
【図６】図６は、本発明の実施の形態１にかかるカメラシステムの制御部が行う処理の概要を示すフローチャートである。
【図７】図７は、制御部が表示部のアイコン操作領域に操作アイコンを表示させる際の表示位置の一例を示す図である。
【図８】図８は、同期通信において制御部と交換レンズ装置のレンズ制御部との同期通信の一例を示すタイミングチャートである。
【図９】図９は、本発明の実施の形態１にかかるカメラシステムのレンズ制御部が行う処理の概要を示すフローチャートである。
【図１０】図１０は、本発明の実施の形態２にかかるレンズ操作データ記憶部が記憶するレンズ操作データとしてのレンズ操作データテーブルの一例を示す図である。
【図１１】図１１は、本発明の実施の形態２にかかるカメラシステムの制御部が行う処理の概要を示すフローチャートである。
【図１２】図１２は、制御部が表示部のアイコン操作領域に操作アイコンを表示させる際の一例を示す図である。
【図１３】図１３は、制御部が表示部のアイコン操作領域に操作アイコンを表示させる際の表示位置の一例を示す図である。
【図１４】図１４は、制御部が表示部の画像表示領域に表示させる各アイコンの操作内容を示す画像の一例を示す図である。
【図１５】図１５は、制御部が表示部の画像表示領域に表示させる交換レンズ装置のレンズ情報を示す画像の一例を示す図である。
【図１６】図１６は、本発明の実施の形態２にかかるレンズ制御部が行う処理の概要を示すフローチャートである。
【図１７】図１７は、本発明の実施の形態２の変形例１にかかる制御部が表示部のアイコン操作領域に表示させるレンズ操作アイコンの一例を示す図である。
【図１８】図１８は、本発明の実施の形態２の変形例２にかかる制御部が表示部のアイコン操作領域に表示させるレンズ操作アイコンの別の一例を示す図である。
【図１９】図１９は、本発明の実施の形態２の変形例３にかかる制御部が表示部のアイコン操作領域に表示させるレンズ操作アイコンの別の一例を示す図である。
【図２０】図２０は、図１９に示す状況下からレンズ操作アイコンが遷移した状態の一例を示す図である。
【図２１】図２１は、図１９に示す状況下からレンズ操作アイコンが遷移した状態別の一例を示す図である。
【図２２】図２２は、図１９に示す状況下からレンズ操作アイコンが遷移した状態別の一例を示す図である。
【図２３】図２３は、本発明の実施の形態３にかかる交換レンズ装置および外付けストロボ装置が装着されるカメラシステムの模式的な構成図である。
【図２４】図２４は、本発明の実施の形態３にかかる交換レンズ装置および外付けストロボ装置が装着されるカメラシステムの構成を示すブロック図である。
【図２５】図２５は、本発明の実施の形態３にかかるカメラシステムの制御部が行う処理の概要を示すフローチャートである。
【図２６】図２６は、制御部が表示部のアイコン操作領域に表示する標準アイコンの一例を示す図である。
【図２７】図２７は、制御部が表示部のアイコン操作領域に表示するレンズ選択アイコンの一例を示す図である。
【図２８】図２８は、制御部が表示部のアイコン操作領域に表示するアクセサリ選択アイコンの一例を示す図である。
【図２９】図２９は、図２５に示したアイコン表示切換処理の概要を示すフローチャートである。
【図３０】図３０は、制御部が表示部のアイコン操作領域に表示するアイコンの画面遷移の一例を示す図である。
【図３１】図３１は、制御部が表示部のアイコン操作領域に表示するアイコンの画面遷移の別の一例を示す図である。
【図３２】図３２は、本発明の実施の形態３にかかるカメラシステムのレンズ制御部が行う処理の概要を示すフローチャートである。
【図３３】図３３は、本発明の実施の形態３にかかるカメラシステムのストロボ制御部が行う処理の概要を示すフローチャートである。
【図３４】図３４は、本発明の実施の形態４にかかるレンズ操作データ記憶部が記憶するレンズ操作データとしてのレンズ操作データテーブルの一例を示す図である。
【図３５】図３５は、本発明の実施の形態４にかかるカメラシステムが行う処理の概要を示すフローチャートである。
【図３６】図３６は、図３５に示すタッチ操作処理の概要を示すフローチャートである。
【発明を実施するための形態】
【００２０】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００２１】
（実施の形態１）
図１は、本発明の実施の形態１にかかる交換レンズ装置が装着されるカメラシステムの模式的な構成図である。図２は、本発明の実施の形態１にかかる交換レンズ装置が装着されるカメラシステムの構成を示すブロック図である。なお、図１および図２においては、左側を前方側とし、右側を後方側として説明する。
【００２２】
図１および図２に示すカメラシステム１は、本体部２と、本体部２に装着自在な交換レンズ装置３と、を備える。交換レンズ装置３は、交換レンズ装置３の後方側に設けられた後方側レンズマウント３１を、本体部２の前方側に設けられた本体側マウントリング２１に結合することにより、本体部２に装着される。これにより、本体部２および交換レンズ装置３は、一体的に接続される。なお、上述した本体側マウントリング２１は、たとえばバヨネットタイプであればよい。
【００２３】
本体部２は、シャッタ２０１と、シャッタ駆動部２０２と、撮像素子２０３と、撮像素子駆動部２０４と、信号処理部２０５と、Ａ／Ｄ変換部２０６と、ストロボ２０７と、ストロボ駆動部２０８と、画像処理部２０９と、入力部２１０と、表示部２１１と、表示駆動部２１２と、タッチパネル２１３と、ＦＲＯＭ２１４と、ＳＤＲＡＭ２１５と、記録媒体２１６と、電源部２１７と、本体通信部２１８と、制御部２１９（以下、「ＢＣＰＵ２１９」という）と、を備える。
【００２４】
シャッタ２０１は、開閉動作を行うことにより、撮像素子２０３の状態を露光状態または遮光状態に設定する露光動作を行う。シャッタ２０１は、フォーカルプレンシャッタ等を用いて構成される。シャッタ駆動部２０２は、ステッピングモータ等を用いて構成され、ＢＣＰＵ２１９から入力される指示信号に応じてシャッタ２０１を駆動する。
【００２５】
撮像素子２０３は、交換レンズ装置３が集光した光を受光して光電変換するＣＣＤ（Charge  Coupled  Device）またはＣＭＯＳ（Complementary  Metal  Oxide  Semiconductor）等を用いて構成される。撮像素子駆動部２０４は、所定の撮像タイミングで撮像素子２０３から画像データ（アナログ信号）を信号処理部２０５に出力させる。
【００２６】
信号処理部２０５は、撮像素子２０３から入力される画像データに対して、アナログ処理を施してＡ／Ｄ変換部２０６に出力する。具体的には、信号処理部２０５は、画像データに対して、ノイズ低減処理およびゲインアップ処理等を行う。
【００２７】
Ａ／Ｄ変換部２０６は、信号処理部２０５から入力される画像データに対してＡ／Ｄ変換を行うことによってデジタルの画像データ（ＲＡＷデータ）を生成し、ＢＣＰＵ２１９に出力する。
【００２８】
ストロボ２０７は、キセノンランプまたはＬＥＤ等によって構成される。ストロボ２０７は、シャッタ２０１の露光動作と同期して所定の視野領域に向けて発光する。ストロボ駆動部２０８は、ＢＣＰＵ２１９の制御のもと、ストロボ２０７を発光させる。
【００２９】
画像処理部２０９は、画像データに対して各種の画像処理を施す。具体的には、画像処理部２０９は、画像データに対して、オプティカルブラック減算処理、ホワイトバランス調整処理、画像データの同時化処理、カラーマトリクス演算処理、γ補正処理、色再現処理およびエッジ強調処理等を含む画像処理を行う。画像処理部２０９は、焦点検出領域内の画像データから高周波成分（コントラスト）をハイパスフィルタ処理により抽出してＡＦ評価値を算出する算出処理を行う。なお、画像処理部２０９は、画像データを所定の方式、たとえばＪＰＥＧ（Joint  Photographic  Experts  Group）方式、ＭｏｔｉｏｎＪＰＥＧ方式およびＭＰ４（Ｈ．２６４）方式等に従って圧縮し、圧縮した画像データを記録媒体２１６に記録させてもよい。
【００３０】
入力部２１０は、カメラシステム１の電源状態をオン状態またはオフ状態に切換える電源スイッチ（図示せず）と、静止画撮影の指示を与える静止画レリーズ信号の入力を受け付けるレリーズスイッチ２１０ａと、カメラシステム１に設定された各種撮影モードを切換える撮影モード切換スイッチ（図示せず）と、動画撮影の指示を与える動画レリーズ信号の入力を受け付ける動画スイッチ（図示せず）と、を有する。レリーズスイッチ２１０ａは、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
【００３１】
表示部２１１は、液晶または有機ＥＬ（Electro  Luminescence）等からなる表示パネルを用いて構成される。表示駆動部２１２は、撮影した画像データや各種撮影情報を表示部２１１に表示させる。
【００３２】
ここで、表示部２１１が画像を表示する表示領域について説明する。図３は、図１の矢視Ａ方向のカメラシステム１の背面図である。図３に示すように、表示部２１１は、画像データに対応する画像Ｗｎ（ｎ＝自然数）を表示する画像表示領域２１１ａと、各種撮影操作に関する操作アイコンを表示するアイコン操作領域２１１ｂと、を有する。表示部２１１は、アイコン操作領域２１１ｂに操作アイコンとして広角方向ズームアイコンＡ１（以下、「ＷアイコンＡ１」という）、望遠方向ズームアイコンＡ２（以下、「ＴアイコンＡ２」という）、至近方向フォーカスアイコンＡ３（以下、「ＮアイコンＡ３」という）、無限方向フォーカスアイコンＡ４（以下、「ＦアイコンＡ４」という）およびメニュー操作アイコンＢ１（以下、「ＭアイコンＢ１」という）を表示する。なお、図３に示す各アイコンについては後述する。
【００３３】
タッチパネル２１３は、表示部２１１の表示画面上に設けられる（図３を参照）。タッチパネル２１３は、撮影者が表示部２１１で表示される操作アイコンに従ってタッチ（接触）した位置を検出し、この検出したタッチ位置に応じた信号をＢＣＰＵ２１９へ出力する。一般に、タッチパネルとしては、抵抗膜方式、静電容量方式および光学方式等がある。本実施の形態１では、いずれの方式のタッチパネルであっても適用可能である。
【００３４】
ＦＲＯＭ２１４は、不揮発性メモリを用いて構成される。ＦＲＯＭ２１４は、カメラシステム１を動作させるための各種プログラム、プログラムの実行中に使用される各種データおよび画像処理部２０９による画像処理の動作に必要な各種パラメータ等を記憶する。
【００３５】
ＳＤＲＡＭ２１５は、揮発性メモリを用いて構成される。ＳＤＲＡＭ２１５は、ＢＣＰＵ２１９の処理中の情報を一時的に記憶する。
【００３６】
記録媒体２１６は、本体部２の外部から装着されるメモリカード等を用いて構成される。記録媒体２１６は、メモリＩ／Ｆ（図示せず）を介して本体部２に着脱自在に装着される。記録媒体２１６は、画像データが記録される一方、記録した画像データが読み出される。
【００３７】
電源部２１７は、本体部２および交換レンズ装置３を構成する各部に電源を供給する。電源部２１７は、本体部２に装着されたバッテリの電圧の平滑化および昇圧等を行って各構成部に電源を供給する。
【００３８】
本体通信部２１８は、本体部２に装着される交換レンズ装置３との通信を行うための通信インターフェースである。
【００３９】
ＢＣＰＵ２１９は、ＣＰＵ（Central  Processing  Unit）等を用いて構成される。ＢＣＰＵ２１９は、入力部２１０からの指示信号に応じて、カメラシステム１を構成する各部に対応する指示やデータの転送等と行ってカメラシステム１の動作を統括的に制御する。
【００４０】
交換レンズ装置３は、フォーカスレンズ３０１と、レンズ駆動部３０２と、レンズ位置検出部３０３と、絞り３０４と、絞り駆動部３０５と、ズームレンズ３０６と、ズームレンズ駆動部３０７と、ズーム位置検出部３０８と、レンズＦＲＯＭ３０９と、レンズＲＡＭ３１０と、レンズ通信部３１１と、レンズ制御部３１２（以下「ＬＣＰＵ３１２」という）と、を備える。
【００４１】
フォーカスレンズ３０１は、光軸Ｏ方向に沿って駆動されることにより、交換レンズ装置３の焦点状態を調整する。フォーカスレンズ３０１は、一または複数のレンズを用いて構成される。レンズ駆動部３０２は、フォーカスレンズ３０１を光軸Ｏ方向に沿って移動させる。レンズ駆動部３０２は、ステッピングモータまたはボイスコイルモータ等の駆動用モータおよびモータドライブ等を用いて構成される。
【００４２】
レンズ位置検出部３０３は、フォトインタラプタ等を用いて構成され、レンズ駆動部３０２によって駆動されたフォーカスレンズ３０１の位置を検出する。具体的には、レンズ位置検出部３０３は、レンズ駆動部３０２に含まれる駆動用モータの回転量をパルス数に変換し、変換したパルス数に基づいて、無限端を基準とする基準位置からのフォーカスレンズ３０１の位置を検出する。
【００４３】
絞り３０４は、開口面積を変化させて本体部２に入射する被写体光量を調整する。具体的には、絞り３０４は、交換レンズ装置３が集光する光の入射量を制限することにより露出の調整を行う。絞り駆動部３０５は、絞り３０４を駆動することにより、絞り３０４の開口動作を行う。絞り駆動部３０５は、ステッピングモータやモータドライバ等を用いて構成される。
【００４４】
ズームレンズ３０６は、光軸Ｏ方向に沿って駆動されることにより、交換レンズ装置３の焦点距離を変更する。ズームレンズ３０６は、一または複数のレンズを用いて構成される。ズーム駆動部３０７は、ズームレンズ３０６を光軸Ｏ方向に沿って移動させる。ズーム駆動部３０７は、ステッピングモータまたはボイスコイルモータ等の駆動用モータおよびモータドライブ等を用いて構成される。
【００４５】
ズーム位置検出部３０８は、ズーム駆動部３０７によって駆動されたズームレンズ３０６の位置を検出する。ズーム位置検出部３０８は、リニアエンコーダや可変抵抗素子等のポテンショメータやＡ／Ｄ変換回路等を用いて構成される。
【００４６】
レンズＦＲＯＭ３０９は、不揮発性メモリを用いて構成され、フォーカスレンズ３０１やズームレンズ３０６の位置および動きを決定するための制御用プログラム、フォーカスレンズ３０１およびズームレンズ３０６それぞれのレンズ特性および各種パラメータを含む光学データを記憶する。レンズＦＲＯＭ３０９は、レンズ操作データ記憶部３０９ａと、レンズ駆動データ記憶部３０９ｂと、を有する。レンズ操作情報記憶部３０９ａは、フォーカスレンズ３０１およびズームレンズ３０６それぞれの操作種別に対応するレンズ操作アイコン画像データと、このレンズ操作アイコン画像データを表示部２１１で表示する際の表示領域とを含む操作情報としてのレンズ操作データを記憶する。レンズ駆動データ記憶部３０９ｂは、交換レンズ装置３の操作種別に応じた交換レンズ装置３の動作に関する動作情報を記憶する。具体的には、レンズ駆動データ記憶部３０９ｂは、交換レンズ装置３の操作種別に応じたフォーカスレンズ３０１およびズームレンズ３０６それぞれを駆動する動作情報としてのレンズ駆動データを記憶する。
【００４７】
ここで、レンズ操作データ記憶部３０９ａおよびレンズ駆動データ記憶部３０９ｂがそれぞれ記憶するレンズ操作データおよびレンズ駆動データについて説明する。図４は、レンズ操作データ記憶部３０９ａが記憶するレンズ操作データとしてのレンズ操作データテーブルの一例を示す図である。図５は、レンズ駆動データ記憶部３０９ｂが記憶するレンズ駆動データとしてのレンズ駆動データテーブルの一例を示す図である。
【００４８】
図４に示すように、レンズ操作情報テーブルＴ１には、操作種別、アイコン表示位置、アイコン表示サイズおよびアイコン画像が記載されている。たとえば、操作種別が広角方向ズームの場合、アイコン表示位置が（１０，１５）、アイコン表示サイズが３０×３０およびアイコン画像が画像データ１として記載されている。また、操作種別が至近方向フォーカス駆動の場合、アイコン表示位置が（１０，６５）、アイコン表示サイズが３０×３０およびアイコン画像が画像データ３として記載されている。
【００４９】
また、図５に示すように、レンズ駆動データテーブルＴ２には、操作種別と、操作対応データとが記載されている。たとえば、操作種別が広角方向ズーム駆動の場合、操作対応データとしてコマンド情報１が記載されている。また、操作種別が至近方向フォーカス駆動の場合、操作対応データとしてコマンド情報３が記載されている。
【００５０】
このように、レンズ操作データ記憶部３０９ａおよびレンズ駆動データ記憶部３０９ｂは、交換レンズ装置３における固有の操作情報および駆動情報を記憶する。
【００５１】
レンズＲＡＭ３１０は、揮発性メモリを用いて構成され、ＬＣＰＵ３１２の処理中の情報を一時的に記憶する。
【００５２】
レンズ通信部３１１は、交換レンズ装置３が本体部２に装着されたとき、本体部２の本体通信部２１８と通信を行うための通信インターフェースである。また、レンズ通信部３１１および本体通信部２１８を介して本体部２の電源部２１７から交換レンズ装置３の各構成部へ電源が供給される。
【００５３】
ＬＣＰＵ３１２は、ＣＰＵ等を用いて構成され、交換レンズ装置３の各部の動作を制御。具体的には、ＬＣＰＵ３１２は、レンズ駆動部３０２、絞り駆動部３０５およびズーム駆動部３０７の駆動制御を行う。ＬＣＰＵ３１２は、交換レンズ装置３が本体部２に操作された際にレンズ操作情報記憶部３０９ａが記憶する操作情報を本体部２に送信して表示部２１１に操作画像データに対応する操作画像を表示させる制御を行うとともに、表示部２１１が操作画像を表示している場合において、本体部２からタッチ位置情報を受信したとき、このタッチ位置情報と操作情報とによって定まる動作情報に基づいて、交換レンズ装置３の駆動制御を行う。具体的には、ＬＣＰＵ３１２は、レンズ通信部３１１および本体通信部２１８を介してＢＣＰＵ２１９と通信を行い、交換レンズ装置３のレンズ動作状態、レンズＦＲＯＭ３０９に記憶された光学データおよびレンズ操作データを含むレンズデータを送信して表示部２１１にレンズ操作データに対応する操作アイコンを表示させる。さらに、ＬＣＰＵ３１２は、本体部２からタッチパネル２１３によって検出されたタッチ位置情報を受信したとき、タッチ位置情報とレンズ操作データとによって定まる駆動データに基づいて、フォーカスレンズ３０１またはズームレンズ３０６を駆動する。
【００５４】
つぎに、本実施の形態１にかかるカメラシステム１のＢＣＰＵ２１９が行う動作について説明する。図６は、ＢＣＰＵ２１９が行う処理の概要を示すフローチャートである。
【００５５】
図６に示すように、まず、本体部２の電源がオンされると、ＢＣＰＵ２１９は、交換レンズ装置３が装着されているか否かを判断する（ステップＳ１０１）。交換レンズ装置３が本体部２に装着されていないとＢＣＰＵ２１９が判断した場合（ステップＳ１０１：Ｎｏ）、ＢＣＰＵ２１８は、交換レンズ装置３が装着されるまで定期的に装着検出を行う等の待機動作を行う。なお、ＢＣＰＵ２１９は、待機中に撮影者により撮影パラメータの変更操作や過去に撮影した画像データを生成する再生操作等が行われた場合、各操作に応じた動作を実行する。
【００５６】
これに対して、交換レンズ装置３が本体部２に装着されているとＢＣＰＵ２１９が判断した場合（ステップＳ１０１：Ｙｅｓ）、ＢＣＰＵ２１９は、本体通信部２１８およびレンズ通信部３１１を介してＬＣＰＵ３１２とレンズ通信を行う（ステップＳ１０３）。具体的には、ＢＣＰＵ２１９は、交換レンズ装置３の光学データおよびレンズ操作データを含むレンズデータを取得してＳＤＲＡＭ２１５に記憶する。
【００５７】
続いて、ＢＣＰＵ２１９は、ＬＣＰＵ３１２から取得した交換レンズ装置３のレンズ操作データに基づいて、表示部２１１のアイコン操作領域２１１ｂにレンズ操作アイコンを表示させる（ステップＳ１０２）。具体的には、ＢＣＰＵ２１９は、レンズ操作データに基づいて、表示部２１１のアイコン操作領域２１１ｂに操作アイコンを表示させる。
【００５８】
図７は、ＢＣＰＵ２１９が表示部２１１のアイコン操作領域２１１ｂに操作アイコンを表示させる際の表示位置の一例を示す図である。図７において、アイコン操作領域２１１ｂの左上隅を原点とし、右方向をＸ軸の正とし、下方向をＹ軸の正とする座標系として考える。なお、図７において、アイコン操作領域２１１ｂを１００×１５０ドットの分解能の領域とする。
【００５９】
図７に示すように、ＢＣＰＵ２１９は、レンズ操作データに含まれるアイコン表示位置情報データとアイコン表示サイズとに基づいて、各操作アイコンの表示位置を決定する。具体的には、図７に示すように、ＢＣＰＵ２１９は、広角方向ズームアイコンＡ１、望遠方向ズームアイコンＡ２、至近方向ＭＦアイコンＡ３および無限方向ＭＦアイコンＡ４を表示部２１１のアイコン操作領域２１１ｂの各表示位置（ａ1〜ａ4）に表示させる。このように、ＢＣＰＵ２１９は、レンズ操作データに含まれるアイコン表示位置データとアイコン表示サイズとに基づいて、各操作アイコンの表示位置を決定して表示部２１１のアイコン操作領域２１１ｂに各アイコンを表示する。これにより、ユーザは、アイコン操作領域２１１ｂに表示されるアイコンにタッチすることによって、カメラシステム１の撮影操作を直感的に行うことができる。
【００６０】
図６に戻り、ステップＳ１０４以降の説明を続ける。ステップＳ１０４において、ＢＣＰＵ２１９は、本体通信部２１８およびレンズ通信部３１１を介してＬＣＰＵ３１２と同期通信を開始する。
【００６１】
続いて、ＢＣＰＵ２１９は、撮像素子駆動部２０４を駆動することにより、撮像素子２０３を同期周期毎に動作させて画像データを取得し、取得した画像データを画像処理部２０９でライブビュー画像表示用の画像処理を施して表示部２１１にライブビュー画像を表示させる（ステップＳ１０５）。
【００６２】
ここで、同期通信について説明する。図８は、同期通信においてＢＣＰＵ２１９とＬＣＰＵ３１２との同期通信の一例を示すタイミングチャートである。図８において、（ａ）が本体部内処理のタイミングを示し、（ｂ）が垂直同期信号を示し、（ｃ）が撮像・読出しのタイミングを示し、（ｄ）がレンズ通信の内容を示し、（ｅ）がレンズ通信同期信号のタイミングを示し、（ｆ）がレンズ位置取得信号のタイミングを示し、（ｇ）が交換レンズ装置３のレンズ内処理のタイミングを示す。
【００６３】
図８に示すように、ＢＣＰＵ２１９は、本体通信部２１８およびレンズ通信部３１１を介してＬＣＰＵ３１２にレンズ状態データを取得するためのレンズ状態データ要求コマンドを送信する（ＢＬ）。さらに、ＢＣＰＵ２１９は、同期通信モード中に、レンズ状態データ要求コマンド以外に所定周期、たとえば垂直同期信号と同じ周期でレンズ通信用の同期信号およびフォーカスレンズ３０１の位置情報を取得するタイミングを指示するレンズ位置取得信号を送信する。このレンズ位置取得信号は、所定のタイミング、たとえば、図８（ｃ）に示すように撮像素子２０３中央部の蓄積時間の１／２が経過した時点で状態が変化させられる。このため、ＬＣＰＵ３１２は、レンズ位置取得信号が変化したタイミングでフォーカスレンズ３０１およびズームレンズ３０６の位置情報を取得する。その後、ＬＣＰＵ３１２は、本体通信部２１８およびレンズ通信部３１１を介して受信したレンズ状態データ要求コマンドに基づいて、レンズ状態データをＢＣＰＵ２１９に送信する（ＬＢ）。
【００６４】
具体的には、ＢＣＰＵ２１９は、前フレームで取得した画像データによりライブビュー画像の画像処理およびＡＦ評価値の算出等を画像処理部２０９に実行させるとともに、ＬＣＰＵ３１２にレンズ状態データ要求コマンドを送信する（Ｂ１）。続いて、ＢＣＰＵ２１９は、取得したレンズ状態データに基づいて、ＡＦ評価値の算出や各種設定変更、たとえば露出値の変更等を行う（Ｂ２）。ＬＣＰＵ３１２は、レンズ位置取得信号の状態が変化した値ミングでフォーカスレンズ３０１およびズームレンズ３０６のレンズ位置情報を取得するとともに、レンズ通信同期信号の受信タイミングでＭＦ環（図示せず）の操作状態を検出する（Ｌ１）。続いて、ＬＣＰＵ３１２は、ＢＣＰＵ２１９から受信したレンズ状態データ要求コマンドに基づいて、フォーカスレンズ３０１とズームレンズ３０６の位置情報およびＭＦ環の操作状態等を含むレンズ状態データをＢＣＰＵ２１９に送信する（Ｌ２）。
【００６５】
図６に戻り、ステップＳ１０６以降の説明を続ける。ステップＳ１０６において、ＢＣＰＵ２１９は、交換レンズ装置３が本体部２に装着されているか否かを判断する。具体的には、ＢＣＰＵ２１９は、同期通信でレンズ状態データを取得することができた場合、交換レンズ装置３が本体部２に装着されていると判断する一方、同期通信でレンズ状態データを取得することができない場合、交換レンズ装置３が本体部２に装着されていないと判断する。交換レンズ装置３が本体部２に装着されているとＢＣＰＵ２１９が判断した場合（ステップＳ１０６：Ｙｅｓ）、ＢＣＰＵ２１９は、後述するステップＳ１０７へ移行する。一方、交換レンズ装置３が本体部２に装着されていないとＢＣＰＵ２１９が判断した場合（ステップＳ１０６：Ｎｏ）、ＢＣＰＵ２１９は、後述するステップＳ１２４へ移行する。
【００６６】
ステップＳ１０７において、ＢＣＰＵ２１９は、電源がオフ状態であるか否かを判断する。電源がオフ状態であるとＢＣＰＵ２１９が判断した場合（ステップＳ１０７：Ｙｅｓ）、ＢＣＰＵ２１９は、後述するステップＳ１２５へ移行する。一方、電源がオフ状態ででないとＢＣＰＵ２１９が判断した場合（ステップＳ１０７：Ｎｏ）、ＢＣＰＵ２１９は、後述するステップＳ１０８へ移行する。
【００６７】
ステップＳ１０８において、ＢＣＰＵ２１９は、タッチパネル２１３に対してタッチ操作が行われたか否かを判断する。タッチパネル２１３に対してタッチ操作が行われたとＢＣＰＵ２１９が判断した場合（ステップＳ１０８：Ｙｅｓ）、ＢＣＰＵ２１９は、タッチパネル２１３から出力されるタッチ位置を示すタッチ位置情報を本体通信部２１８およびレンズ通信部３１１を介してＬＣＰＵ３１２に送信し（ステップＳ１０９）、ステップＳ１１０へ移行する。一方、タッチパネル２１３に対してタッチ操作が行われていないとＢＣＰＵ２１９が判断した場合（ステップＳ１０８：Ｎｏ）、ＢＣＰＵ２１９は、ステップＳ１１０へ移行する。
【００６８】
続いて、動画スイッチがオン状態でなく（ステップＳ１１０：Ｎｏ）、ファースレリーズ信号（１ｓｔ）が入力された（ステップＳ１１１：Ｙｅｓ）、ＢＣＰＵ２１９は、ＬＣＰＵ３１２と同期通信を行いながら静止画撮影用の測光・ＡＦ処理を実行する（ステップＳ１１２）。具体的には、ＢＣＰＵ２１９は、信号処理部２０５およびＡ／Ｄ変換部２０６を介して撮像素子２０３から出力される画像データに基づいて、画像内の輝度値や輝度分布を求める露出演算を行う測光処理を行う。さらに、ＢＣＰＵ２１９は、画像データから抽出した高周波成分が最も大きくなる位置を合焦位置とする、いわゆる山登りＡＦ動作を実行する。なお、ＢＣＰＵ２１９は、撮像素子２０３に設けられた交換レンズ装置３と異なる瞳位置を通過する被写体光束を受光する複数対のＡＦ用画素出力の位相ずれから求めたデフォーカス量に基づいてフォーカスレンズ３０１を駆動制御する位相差ＡＦ動作を行ってもよい。
【００６９】
その後、ファーストレリーズ信号が入力中であり（ステップＳ１１３：Ｎｏ）、レリーズスイッチ２１０ａが全押し操作されることにより、セカンドレリーズ信号（２ｎｄ）が入力された場合（ステップＳ１１４：Ｙｅｓ）、ＢＣＰＵ２１９は、撮影を行う（ステップＳ１１５）。具体的には、ＢＣＰＵ２１９は、ＬＣＰＵ３１２と通信を行い、測光処理により算出した露出演算結果に基づいて、絞り３０４の絞り動作コマンドを送信する。そして、ＢＣＰＵ２１９は、ＬＣＰＵ３１２から送信される絞り込み動作完了情報を受信後に、撮像素子駆動部２０４およびシャッタ駆動部２０２により、撮像素子２０３およびシャッタ２０１を駆動させて撮影を行う。最後に、ＢＣＰＵ２１９は、信号処理部２０５およびＡ／Ｄ変換部２０６を介して撮像素子２０３から出力される画像データを画像処理部２０９に画像処理を実行させる。
【００７０】
続いて、ＢＣＰＵ２１９は、撮影した画像データをＳＤＲＡＭ２１５または記録媒体２１６に記憶する（ステップＳ１１６）。この際、ＢＣＰＵ２１９は、表示駆動部２１２を駆動することにより、撮影した画像データに対応する静止画像（撮影画像）を所定時間（たとえば２秒）だけ表示部２１１にレックビュー表示させる。
【００７１】
その後、ＢＣＰＵ２１９は、表示部２１１がレックビュー表示している静止画像の削除や合焦マークを初期化し、ライブビュー画像を表示部２１１に表示させる表示の初期化を実行し（ステップＳ１１７）、ステップＳ１０６へ戻る。
【００７２】
ステップＳ１１１において、レリーズスイッチ２１０ａを介してファーストレリーズ信号が入力されていない場合（ステップＳ１１１：Ｎｏ）、ＢＣＰＵ２１９は、ステップＳ１０６へ戻る。
【００７３】
ステップＳ１１３において、ファーストレリーズ信号が入力中でない場合（ステップＳ１１３：Ｙｅｓ）、ＢＣＰＵ２１９は、ステップＳ１１７へ移行する。
【００７４】
ステップＳ１１４において、レリーズスイッチ２１０ａを介してセカンドレリーズ信号が入力されていない場合（ステップＳ１１４：Ｎｏ）、ＢＣＰＵ２１９は、ステップＳ１１３へ戻る。
【００７５】
つぎに、ステップＳ１１０において、動画スイッチがオン状態である場合（ステップＳ１１０：Ｙｅｓ）について説明する。この場合、ＢＣＰＵ２１９は、動画撮影を開始する（ステップＳ１１８）。具体的には、ＢＣＰＵ２１９は、撮像素子駆動部２０４を駆動することにより、撮像素子２０３を同期周期毎に動作させて連続的に画像データを生成させ、信号処理部２０５およびＡ／Ｄ変換部２０６を介して撮像素子２０３から出力される画像データを画像処理部２０９で画像処理を施させてＳＤＲＡＭ２１４または記録媒体への記憶を開始する。
【００７６】
続いて、ＢＣＰＵ２１９は、タッチパネル２１３に対してタッチ操作が行われたか否かを判断する（ステップＳ２１９）。タッチパネル２１３に対してタッチ操作が行われたとＢＣＰＵ２１９が判断した場合（ステップＳ２１９：Ｙｅｓ）、ＢＣＰＵ２１９は、タッチパネル２１３から出力されるタッチ位置を示すタッチ位置情報を本体通信部２１８およびレンズ通信部３１１を介してＬＣＰＵ３１２に送信し（ステップＳ１２０）、ステップＳ１２１へ移行する。一方、タッチパネル２１３に対してタッチ操作が行われていないとＢＣＰＵ２１９が判断した場合（ステップＳ１１９：Ｎｏ）、ＢＣＰＵ２１９は、ステップＳ１２１へ移行する。
【００７７】
その後、ＢＣＰＵ２１９は、ＬＣＰＵ３１２と同期通信を行いながら動画撮影用のＡＥ・ＡＦ処理を実行する（ステップＳ１２１）。具体的には、ＢＣＰＵ２１９は、信号処理部２０５およびＡ／Ｄ変換部２０６を介して撮像素子２０３から出力される画像データに基づいて、露出を調整するＡＥ処理およびＡＦ処理を実行し、ＡＦ処理により検出した合焦位置の前後でフォーカスレンズ３０１を光軸Ｏに沿って微小駆動させるウォブリング動作を行って合焦状態を維持する。
【００７８】
続いて、ＢＣＰＵ２１９は、動画スイッチがオフ状態であるか否かを判断する（ステップＳ１２１）。動画スイッチがオフ状態であるとＢＣＰＵ２１９が判断した場合（ステップＳ１２１：Ｙｅｓ）、ＢＣＰＵ２１９は、ステップＳ１２３へ移行する。一方、動画スイッチがオフ状態でないとＢＣＰＵ２１９が判断した場合（ステップＳ１２１：Ｎｏ）、ＢＣＰＵ２１９は、ステップＳ１１９へ戻る。
【００７９】
ステップＳ１２１の後、ＢＣＰＵ２１９は、撮像素子駆動部２０４の駆動を停止することにより、撮像素子２０３の動作を停止させて動画撮影を終了し（ステップＳ１２３）、ステップＳ１１７へ移行する。
【００８０】
ステップＳ１０６において、交換レンズ装置３が本体部２に装着されていないとＢＣＰＵ２１９が判断した場合（ステップＳ１０６：Ｎｏ）について説明する。この場合、ＢＣＰＵ２１９は、ＬＣＰＵ３１２から取得したレンズ操作データに対応する操作アイコンを表示部２１１の操作アイコン領域２１１ｂから削除し（ステップＳ１２４）、ステップＳ１０１へ戻る。
【００８１】
ステップＳ１０７において、本体部２の電源がオフ状態でない場合（ステップＳ１０７：Ｙｅｓ）について説明する。この場合、ＢＣＰＵ２１９は、各種データの退避、リセット動作および電源系統の切断処理等の所定の終了処理を実行し（ステップＳ１２５）、本処理を終了する。
【００８２】
つぎに、本実施の形態１にかかるカメラシステム１のＬＣＰＵ３１２が行う動作について説明する。図９は、ＬＣＰＵ３１２が行う処理の概要を示すフローチャートである。
【００８３】
図９に示すように、ＬＣＰＵ３１２は、本体通信部２１８およびレンズ通信部３１１を介してＢＣＰＵ２１９からタッチ位置情報を受信したか否かを判断する（ステップＳ２０１）。ＢＣＰＵ２１９からタッチ位置情報を受信したとＬＣＰＵ３１２が判断した場合（ステップＳ２０１：Ｙｅｓ）、ＬＣＰＵ３１２は、ステップＳ２０２へ移行する。一方、ＢＣＰＵ２１９からタッチ位置情報を受信していない場合（ステップＳ２０１：Ｎｏ）、ＬＣＰＵ３１２は、この判断を同期通信毎に繰り返す。
【００８４】
続いて、ＬＣＰＵ３１２は、ＢＣＰＵ２１９から受信したタッチ位置情報に基づいて、ＷアイコンＡ１がタッチされたか否かを判断する（ステップＳ２０２）。具体的には、ＬＣＰＵ３１２は、ＢＣＰＵ２１９から送信されたタッチ位置情報に含まれるアイコン操作領域２１１ｂのタッチ位置がレンズ操作情報テーブルＴ１のＷアイコンＡ１の表示領域内であるか否かを判断する。ＷアイコンＡ１がタッチされたとＬＣＰＵ３１２が判断した場合（ステップＳ２０２：Ｙｅｓ）、ＬＣＰＵ３１２は、後述するステップＳ２０３へ移行する。一方、ＷアイコンＡ１がタッチされていないとＬＣＰＵ３１２が判断した場合（ステップＳ２０２：Ｎｏ）、ＬＣＰＵ３１２は、後述するステップＳ２０４へ移行する。
【００８５】
ステップＳ２０３において、ＬＣＰＵ３１２は、ＷアイコンＡ１に対応する広角方向ズーム駆動のコマンド情報に基づいて、ズームレンズ３０６を広角方向に駆動し、ＢＣＰＵ２１９から送信されるタッチ位置情報が受信できなくなった時点でズームレンズ３０６の駆動を停止する。その後、ＬＣＰＵ３１２は、本処理を終了する。
【００８６】
ステップＳ２０４において、ＬＣＰＵ３１２は、ＢＣＰＵ２１９から受信したタッチ位置情報に基づいて、ＴアイコンＡ２がタッチされたか否かを判断する。ＴアイコンＡ２がタッチされたとＬＣＰＵ３１２が判断した場合（ステップＳ２０４：Ｙｅｓ）、ＬＣＰＵ３１２は、後述するステップＳ２０５へ移行する。一方、ＴアイコンＡ２がタッチされていないとＬＣＰＵ３１２が判断した場合（ステップＳ２０４：Ｎｏ）、ＬＣＰＵ３１２は、後述するステップＳ２０６へ移行する。
【００８７】
ステップＳ２０５において、ＬＣＰＵ３１２は、ＴアイコンＡ２に対応する望遠方向ズーム駆動のコマンド情報に基づいて、ズームレンズ３０６を望遠方向に駆動し、ＢＣＰＵ２１９から送信されるタッチ位置情報が受信できなくなった時点でズームレンズ３０６の駆動を停止する。その後、ＬＣＰＵ３１２は、本処理を終了する。
【００８８】
ステップＳ２０６において、ＬＣＰＵ３１２は、ＢＣＰＵ２１９から受信したタッチ位置情報に基づいて、ＮアイコンＡ３がタッチされたか否かを判断する。ＮアイコンＡ３がタッチされたとＬＣＰＵ３１２が判断した場合（ステップＳ２０６：Ｙｅｓ）、ＬＣＰＵ３１２は、後述するステップＳ２０７へ移行する。一方、ＮアイコンＡ３がタッチされていないとＬＣＰＵ３１２が判断した場合（ステップＳ２０６：Ｎｏ）、ＬＣＰＵ３１２は、後述するステップＳ２０８へ移行する。
【００８９】
ステップＳ２０７において、ＬＣＰＵ３１２は、ＮアイコンＡ３に対応する至近方向フォーカス駆動のコマンド情報に基づいて、フォーカスレンズ３０１を至近方向に駆動し、ＢＣＰＵ２１９から送信されるタッチ位置情報が受信できなくなった時点でフォーカスレンズ３０１の駆動を停止する。その後、ＬＣＰＵ３１２は、本処理を終了する。
【００９０】
ステップＳ２０８において、ＬＣＰＵ３１２は、ＢＣＰＵ２１９から受信したタッチ位置情報に基づいて、ＦアイコンＡ４がタッチされたか否かを判断する。ＦアイコンＡ４がタッチされたとＬＣＰＵ３１２が判断した場合（ステップＳ２０８：Ｙｅｓ）、ＬＣＰＵ３１２は、後述するステップＳ２０９へ移行する。一方、ＦアイコンＡ４がタッチされていないとＬＣＰＵ３１２が判断した場合（ステップＳ２０８：Ｎｏ）、ＬＣＰＵ３１２は、本処理を終了する。
【００９１】
ステップＳ２０９において、ＬＣＰＵ３１２は、ＦアイコンＡ４に対応する無限方向フォーカス駆動の操作対応データであるコマンド情報に基づいて、フォーカスレンズ３０１を無限方向に駆動し、ＢＣＰＵ２１９から送信されるタッチ位置情報が受信できなくなった時点でフォーカスレンズ３０１の駆動を停止する。その後、ＬＣＰＵ３１２は、本処理を終了する。
【００９２】
以上説明した本実施の形態１によれば、ＬＣＰＵ３１２が、本体通信部２１８およびレンズ通信部３１１を介してＢＣＰＵ２１９にレンズ操作データを送信する一方、ＢＣＰＵ２１９から送信されるタッチ位置情報のタッチ位置信号に対応する表示領域の操作対応である駆動コマンドを実行する。これにより、既存の本体部２でファームアップや新規な本体部２の導入を行うことなく、多様な操作を受け付けることができる。この結果、ユーザは、交換レンズ装置３が有する固有の操作または新規の操作を行うことができる。
【００９３】
また、本実施の形態１によれば、交換レンズ装置３を本体部２に装着する際に、本体部２が取得するデータは、アイコン操作画像データだけでよい。このため、ユーザがアイコン操作を行った場合、ＢＣＰＵ２１９は、タッチ位置情報をＬＣＰＵ３１２に送信するだけでよいので、交換レンズ装置３の各種、たとえばフォーカスレンズ３０１の起動時間の短縮や応答性の良い操作を行うことができる。
【００９４】
（実施の形態２）
つぎに、本発明の実施の形態２について説明する。本発明の実施の形態２にかかるカメラシステムは、レンズ操作データ記憶部が記憶するレンズ操作データが上述したカメラシステムと異なる。さらに、本発明の実施の形態２にかかるカメラシステムのＢＣＰＵおよびＬＣＰＵが行う処理が異なる。このため、以下において、レンズ操作データ記憶部が記憶するレンズ操作データを説明後、ＢＣＰＵおよびＬＣＰＵが行う処理について説明する。なお、図面の記載において、同一の部分には同一の符号を付している。
【００９５】
図１０は、レンズ操作データ記憶部３０９ａが記憶するレンズ操作データとしてのレンズ操作データテーブルの一例を示す図である。
【００９６】
図１０に示すように、レンズ操作データテーブルＴ３には、操作種別、アイコン表示位置、アイコン表示サイズ、アイコン画像および操作対応画像データが記載されている。たとえば、操作種別が広角方向ズーム駆動の場合、アイコン表示位置が（１０，１５）、アイコン表示サイズが３０×３０およびアイコン画像がアイコン画像データ１として記載されている。また、操作種別がレンズ情報表示の場合、アイコン表示位置が（１０，１１５）、アイコン表示サイズが３０×３０、アイコン画像がアイコン画像データ５および操作対応画像データがレンズ情報データとして記載されている。さらに、操作種別が操作ガイド表示の場合、アイコン表示位置が（６０，１１５）、アイコン表示サイズが３０×３０、アイコン画像がアイコン画像データ６および操作対応画像データが操作ガイド画像データとして記載されている。
【００９７】
つぎに、本実施の形態２にかかるカメラシステム１のＢＣＰＵ２１９が行う動作について説明する。図１１は、ＢＣＰＵ２１９が行う処理の概要を示すフローチャートである。
【００９８】
図１１において、ステップＳ３０１〜ステップＳ３０２は、図６に示したステップＳ１０１〜ステップＳ１０２それぞれに対応する。
【００９９】
ステップＳ３０３において、ＢＣＰＵ２１９は、ＬＣＰＵ３１２から受信したレンズ操作データに基づいて、表示部２１１のアイコン操作領域２１１ｂにレンズ操作用アイコンを表示させる。具体的には、図１２に示すように、ＢＣＰＵ２１９は、ＬＣＰＵ３１２から送信されたレンズ操作データテーブルＴ３を参照して、各操作アイコンＡ１〜Ａ６をアイコン操作領域２１１ｂの所定位置に表示させる（図１３を参照）。
【０１００】
ステップＳ３０４〜ステップＳ３０９は、図６に示したステップＳ１０４〜ステップＳ１０９それぞれに対応する。
【０１０１】
ステップＳ３１０において、ＢＣＰＵ２１９は、本体通信部２１８およびレンズ通信部３１１を介してＬＣＰＵ３１２から操作対応画像データを受信したか否かを判断する。ＬＣＰＵ３１２から操作対応画像データを受信したとＢＣＰＵ２１９が判断した場合（ステップＳ３１０：Ｙｅｓ）、ＢＣＰＵ２１９は、後述するステップＳ３１１へ移行する。一方、ＬＣＰＵ３１２から操作対応画像データを受信していないとＢＣＰＵ２１９が判断した場合（ステップＳ３１０：Ｎｏ）、ＢＣＰＵ２１９は、後述するステップＳ３１２へ移行する。
【０１０２】
ステップＳ３１１において、ＢＣＰＵ２１９は、ＬＣＰＵ３１２から受信した操作画像データに対応する画像を表示部２１１に表示させる。具体的には、ＢＣＰＵ２１９は、受信した操作対応画像データが操作ガイド画像データの場合、表示部２１１の画像表示領域２１１ａに各アイコンの操作内容を示す画像を表示させる（図１４を参照）。また、ＢＣＰＵ２１９は、受信した操作対応画像データがレンズデータの場合、表示部２１１の画像表示領域２１１ａに交換レンズ装置３のレンズ情報を示す画像を表示させる（図１５を参照）。
【０１０３】
ステップＳ３１２〜ステップＳ３２２は、図６のステップＳ１１０〜ステップＳ１２０それぞれに対応する。
【０１０４】
ステップＳ３２３〜ステップＳ３２４は、上述したステップＳ３１０〜ステップＳ３１１それぞれに対応する。
【０１０５】
ステップＳ３２５〜ステップＳ３２９は、図６のステップＳ１２１〜ステップＳ１２５それぞれに対応する。
【０１０６】
つぎに、本実施の形態２にかかるカメラシステム１のＬＣＰＵ３１２が行う動作について説明する。図１６は、ＬＣＰＵ３１２が行う処理の概要を示すフローチャートである。
【０１０７】
図１６に示すように、ＬＣＰＵ３１２は、本体通信部２１８およびレンズ通信部３１１を介してＢＣＰＵ２１９からタッチ位置情報を受信したか否かを判断する（ステップＳ４０１）。ＢＣＰＵ２１９からタッチ位置情報を受信したとＬＣＰＵ３１２が判断した場合（ステップＳ４０１：Ｙｅｓ）、ＬＣＰＵ３１２は、ステップＳ４０２へ移行する。一方、ＢＣＰＵ２１９からタッチ位置情報を受信していない場合（ステップＳ４０１：Ｎｏ）、ＬＣＰＵ３１２は、この判断を同期通信毎に繰り返す。
【０１０８】
続いて、ＬＣＰＵ３１２は、ＢＣＰＵ２１９から受信したタッチ位置情報に基づいて、ＩアイコンＡ５がタッチされたか否かを判断する（ステップＳ４０２）。具体的には、ＬＣＰＵ３１２は、ＢＣＰＵ２１９から送信されたタッチ状態に含まれるアイコン操作領域２１１ｂのタッチ位置がレンズ操作データテーブルＴ３のＩアイコンＡ５の表示領域内であるか否かを判断する。ＩアイコンＡ５がタッチされたとＬＣＰＵ３１２が判断した場合、ＬＣＰＵ３１２は、後述するステップＳ４０３へ移行する。一方、ＩアイコンＡ５がタッチされていないとＬＣＰＵ３１２が判断した場合（ステップＳ４０２：Ｎｏ）、ＬＣＰＵ３１２は、後述するステップＳ４０４へ移行する。
【０１０９】
ステップＳ４０３において、ＬＣＰＵ３１２は、本体通信部２１８およびレンズ通信部３１１を介してＢＣＰＵ２１９にレンズ情報画像データを送信する。これにより、ユーザは、表示部２１１が表示するレンズ情報画像（図１５を参照）で交換レンズ装置３のレンズ情報を確認することができる。その後、ＬＣＰＵ３１２は、本処理を終了する。
【０１１０】
ステップＳ４０４において、ＬＣＰＵ３１２は、ＢＣＰＵ２１９から受信したタッチ位置情報に基づいて、ＧアイコンＡ６がタッチされたか否かを判断する。ＧアイコンＡ６がタッチされたとＬＣＰＵ３１２が判断した場合（ステップＳ４０４：Ｙｅｓ）、ＬＣＰＵ３１２は、後述するステップＳ４０５へ移行する。一方、ＧアイコンＡ６がタッチされていないとＬＣＰＵ３１２が判断した場合（ステップＳ４０４：Ｎｏ）、ＬＣＰＵ３１２は、後述するステップＳ４０６へ移行する。
【０１１１】
ステップＳ４０５において、ＬＣＰＵ３１２は、本体通信部２１８およびレンズ通信部３１１を介してＢＣＰＵ２１９に操作ガイド画像データを送信する（ステップＳ４０５）。これにより、ユーザは、表示部２１１が表示する操作ガイド画像（図１４を参照）で各操作アイコンの操作内容を確認することができる。その後、ＬＣＰＵ３１２は、本処理を終了する。
【０１１２】
ステップＳ４０６〜ステップＳ４１３は、図９のステップＳ２０２〜ステップＳ２０９それぞれに対応する。
【０１１３】
以上説明した本実施の形態２によれば、ＬＣＰＵ３１２が、本体通信部２１８およびレンズ通信部３１１を介してＢＣＰＵ２１９にレンズ操作データを送信する一方、ＢＣＰＵ２１９から送信されるタッチ位置情報のタッチ位置信号に対応する表示領域の操作対応である駆動コマンドを実行する。これにより、既存の本体部２でファームアップや新規な本体部２の導入を行うことなく、多様な操作を受け付けることができる。この結果、ユーザは、交換レンズ装置３が有する固有の操作または新規の操作を行うことができる。
【０１１４】
さらに、本実施の形態２によれば、アイコン操作が行われる毎に必要な情報を取得するので、記憶容量の小さい本体部２に表示項目の多い交換レンズ装置４が装着された場合であっても、全ての情報表示（操作アイコン等）を確認に行うことができる。
【０１１５】
（実施の形態２の変形例１）
上述した実施の形態２において、ＢＣＰＵ２１９が表示部２１１のアイコン操作領域２１１ｂに表示させるレンズ操作用アイコンに変えて、交換レンズ装置３と異なる交換レンズ装置のレンズ操作用アイコンを表示させることも可能である。
【０１１６】
図１７は、本実施の形態２の変形例１にかかるＢＣＰＵ２１９が表示部２１１のアイコン操作領域２１１ｂに表示させるレンズ操作用アイコンの一例を示す図である。なお、図１７においては、交換レンズ装置３の種類を単焦点レンズとして説明する。
【０１１７】
図１７に示すように、ＢＣＰＵ２１９は、本体通信部２１８およびレンズ通信部３１１を介してＬＣＰＵ３１２から受信した操作アイコンデータに基づいて、表示部２１１のアイコン操作領域２１１ｂにレンズ操作用アイコンを表示させる。具体的には、ＢＣＰＵ２１９は、ＮアイコンＡ３、ＦアイコンＡ４、ＩアイコンＡ５およびＧアイコンＡ６を表示するとともに、交換レンズ装置３の焦点位置に対応する被写体距離を示す各アイコンＡ１１〜Ａ１４を表示する。これにより。ＬＣＰＵ３１２は、ＢＣＰＵ２１９から送信されるタッチ位置情報に基づいて、たとえばアイコンＡ１１がタッチされた場合、交換レンズ装置３の焦点位置が０．５ｍの被写体に合焦する位置になるようにフォーカスレンズ３０１を駆動することができる。この結果、既存の本体部２でフォームアップや新規な本体部２の購入を行わずに、新規な交換レンズ装置３の固有または新規の操作を行うことができる。
【０１１８】
（実施の形態２の変形例２）
図１８は、本実施の形態２の変形例２にかかるＢＣＰＵ２１９が表示部２１１のアイコン操作領域２１１ｂに表示させるレンズ操作用アイコンの別の一例を示す図である。なお、図１８においては、交換レンズ装置３の種類を単焦点レンズとして説明する。
【０１１９】
図１８に示すように、ＢＣＰＵ２１９は、本体通信部２１８およびレンズ通信部３１１を介してＬＣＰＵ３１２から送信された操作アイコンデータに基づいて、表示部２１１のアイコン操作領域２１１ｂにレンズ操作用アイコンを表示させる。具体的には、ＢＣＰＵ２１９は、ＮアイコンＡ３、ＦアイコンＡ４、ＩアイコンＡ５およびＧアイコンＡ６を表示部２１１に表示させるとともに、交換レンズ装置３の焦点位置を所定の位置に限定するリファレンズフォーカスアイコンＡ２１（以下、「ＲＦアイコンＡ２１」という）を表示部２１１に表示させる。
【０１２０】
図１８に示す状況下で、本体通信部２１８およびレンズ通信部３１１を介してＢＣＰＵ２１９から受信したタッチ位置情報に含まれるタッチ位置がＲＦアイコンＡ２１の表示領域上である場合、ＬＣＰＵ３１２は、ＲＦアイコンの操作内容を展開した各アイコンＡ１１〜Ａ１４のアイコン画像データをＢＣＰＵ２１９に送信する。
【０１２１】
続いて、ＢＣＰＵ２１９は、ＬＣＰＵ３１２から受信したアイコン画像データに基づいて、ＲＦアイコンＡ２１に変えて各アイコンＡ１１〜Ａ１４を表示部２１１に表示させる（図１７を参照）。
【０１２２】
その後、ＬＣＰＵ３１２は、ＢＣＰＵ２１９から送信されるタッチ位置情報に基づいて、たとえばアイコンＡ１１がタッチされた場合、交換レンズ装置３の焦点位置が０．５ｍの被写体に合焦する位置になるようにフォーカスレンズ３０１を駆動する。
【０１２３】
このように、既存の本体部２でフォームアップや新規な本体部２の購入を行わずに、新規な交換レンズ装置３の固有または新規の操作を行うことができる。
【０１２４】
（実施の形態２の変形例３）
図１９は、本実施の形態２の変形例３にかかるＢＣＰＵ２１９が表示部２１１のアイコン操作領域２１１ｂに表示させるレンズ操作用アイコンの別の一例を示す図である。なお、図１９においては、交換レンズ装置３の種類をズームレンズとして説明する。
【０１２５】
図１９に示すように、ＢＣＰＵ２１９は、本体通信部２１８およびレンズ通信部３１１を介してＬＣＰＵ３１２から送信される操作アイコンデータに基づいて、表示部２１１のアイコン操作領域２１１ｂにレンズ操作用アイコンを表示させる。具体的には、ＢＣＰＵ２１９は、ＩアイコンＡ５およびＧアイコンＡ６を表示部２１１に表示させるとともに、プリセットズームアイコンＡ３１（以下、「ＰＺアイコンＡ３１」という）およびマニュアルフォーカスアイコンＡ３２を表示部２１１に表示させる。
【０１２６】
図１９に示す状況下で、ＬＣＰＵ３１２が本体通信部２１８およびレンズ通信部３１１を介してＢＣＰＵ２１９から受信したタッチ位置情報に含まれるタッチ位置がＰＺアイコンＡ３１の表示領域上である場合、ＬＣＰＵ３１２は、ＰＺアイコンＡ３１の操作内容である各ズーム倍率を示すアイコンＡ３１１〜Ａ３１４のアイコン画像データをＢＣＰＵ２１９に送信する。
【０１２７】
続いて、ＢＣＰＵ２１９は、ＬＣＰＵ３１２から受信したアイコン画像データに基づいて、ＰＺアイコンＡ３１に変えてアイコンＡ３１１〜Ａ３１４を表示部２１１に表示させる（図２０を参照）。
【０１２８】
また、図１９に示す状況下で、ＬＣＰＵ３１２が本体通信部２１８およびレンズ通信部３１１を介してＢＣＰＵ２１９から受信したタッチ位置情報に含まれるタッチ位置がＭＦアイコンＡ３２の表示領域上である場合、ＬＣＰＵ３１２は、ＭＦアイコンＡ３２の操作内容を展開したＮアイコンＡ３およびＦアイコンＡ４のアイコン画像データ（図２１を参照）をＢＣＰＵ３１２に送信する。
【０１２９】
その後、ＬＣＰＵ３１２は、ＢＣＰＵ２１９から送信されるタッチ位置情報に基づいて、たとえばアイコンＡ３１１がタッチされた場合、交換レンズ装置３の焦点距離が２８ｍｍになるようにズームレンズ３０６を駆動する。
【０１３０】
このように、本実施の形態２の変形例３においても、既存の本体部２でフォームアップや新規な本体部２の購入を行わずに、新規な交換レンズ装置３の固有または新規の操作を行うことができる。
【０１３１】
なお、本実施の形態２の変形例３では、ＬＣＰＵ３１２が本体通信部２１８およびレンズ通信部３１１を介してＢＣＰＵ２１９から受信したタッチ位置情報に含まれるタッチ位置がＭＦアイコンＡ３２の表示領域上である場合、ＬＣＰＵ３１２は、ＭＦアイコンＡ３２の操作内容を展開したＮアイコンＡ３およびＦアイコンＡ４のアイコン画像データをＢＣＰＵ３１２に送信していたが、たとえば、図２２に示すようなスライドバーアイコンＡ３２１のアイコン画像データをＢＣＰＵ３１２に送信してもよい。この場合、ＬＣＰＵ３１２は、ＢＣＰＵ３１２から送信されるタッチ位置情報に応じて、同期周期毎にスライドバーアイコンＡ３１２上の指標を示す指標アイコンＡ３１２ａのアイコン画像データをＢＣＰＵ３１２に送信するようにしてもよい。これにより、ユーザは、交換レンズ装置３の焦点位置を直感的に把握することができるとともに、既存の本体部２でフォームアップや新規な本体部２の購入を行わずに、新規な交換レンズ装置３の固有または新規の操作を行うことができる。
【０１３２】
（実施の形態３）
つぎに、本発明の実施の形態３について説明する。本発明の実施の形態３にかかるカメラシステムは、本体部に着脱自在な外部機器として外付けストロボ装置をさらに備える。また、本体部の構成が異なる。さらに、本発明の実施の形態３にかかるカメラシステムの各部の処理が異なる。このため、以下においては、本体部の構成および外付けストロボ装置の構成を説明後、本発明の実施の形態３にかかる各部の処理を説明する。なお、図面の記載において、同一の部分には、同一の符号を付して説明する。
【０１３３】
図２３は、本発明の実施の形態３にかかる交換レンズ装置および外付けストロボ装置が装着されるカメラシステムの模式的な構成図である。図２４は、本発明の実施の形態３にかかる交換レンズ装置および外付けてストロボ装置が装着されるカメラシステムの構成を示すブロック図である。なお、図２３および図２４においては、左側を前方側とし、右側を後方側として説明する。
【０１３４】
図２３および図２４に示すカメラシステム１００は、本体部４と、本体部２に装着自在な交換レンズ装置３と、本体部２に装着自在な外付けストロボ装置５と、を備える。外付けストロボ装置５は、外付けストロボ装置５の底面に設けられた接続部５１を、本体部４の上面に設けられたアクセサリ接続用のホットシュー２２に接続することにより、本体部４に装着される。これにより、本体部４および外付けストロボ装置５は、一体的に接続される。
【０１３５】
本体部２は、シャッタ２０１と、シャッタ駆動部２０２と、撮像素子２０３と、撮像素子駆動部２０４と、信号処理部２０５と、Ａ／Ｄ変換部２０６と、ストロボ２０７と、ストロボ駆動部２０８と、画像処理部２０９と、入力部２１０と、表示部２１１と、表示駆動部２１２と、タッチパネル２１３と、ＦＲＯＭ２１４と、ＳＤＲＡＭ２１５と、記録媒体２１６と、電源部２１７と、本体通信部２１８と、ＢＣＰＵ２１９、外部通信部４１１と、を備える。
【０１３６】
外部通信部４１１は、本体部４に装着される外付けストロボ装置５との通信を行うための通信インターフェースである。なお、外部通信部４１１は、外付けストロボ装置５以外の本体部４に装着されるＬＥＤ等を用いた補助照明装置、ＧＰＳ装置、録音マイク、電子ビューファインダ（ＥＶＦ）および無線通信ユニット等の外付けアクセサリである外部機器装置とも通信可能である。
【０１３７】
外付けストロボ装置５は、ストロボ５１１と、ストロボ駆動部５１２と、ストロボＦＲＯＭ５１３と、ストロボＲＡＭ５１４と、ストロボ通信部５１５と、ストロボ制御部５１６（以下、「ＳＣＰＵ５１６」という）と、を備える。
【０１３８】
ストロボ５１１は、キセノンランプまたはＬＥＤ等によって構成される。ストロボ５１１は、シャッタ２０１の露光動作と同期して所定の視野領域に向けて発光する。ストロボ駆動部５１２は、ＳＣＰＵ５１６の制御のもと、ストロボ５１１を発光させる。
【０１３９】
ストロボＦＲＯＭ５１３は、不揮発性メモリを用いて構成され、ＳＣＰＵ５１６のプログラムおよびストロボ５１１の各種パラメータを記憶する。ストロボＦＲＯＭ５１３は、ストロボ操作データ記憶部５１３ａと、ストロボ駆動データ記憶部５１３ｂと、を有する。ストロボ操作データ記憶部５１３ａは、外付けストロボ装置５の操作内容を示すストロボ操作アイコンのストロボ操作アイコン画像データを記憶する。ストロボ駆動データ記憶部５１３ｂは、外付けストロボ装置５の駆動情報を記憶する。
【０１４０】
ストロボＲＡＭ５１４は、揮発性メモリを用いて構成され、ＳＣＰＵ５１６の処理中の情報を一時期に記憶する。
【０１４１】
ストロボ通信部５１５は、外付けストロボ装置５が本体部４に装着されたとき、本体部４の外部通信部４１１と通信を行うための通信インターフェースである。また、ストロボ通信部５１５および外部通信部４１１を介して本体部４の電源部２１７から外付けストロボ装置５の各構成部へ電源が供給される。
【０１４２】
ＳＣＰＵ５１６は、ＣＰＵ等を用いて構成され、外付けストロボ装置５の各部の動作を制御する。具体的には、ＳＣＰＵ５１６は、ストロボ駆動部５１２を駆動することにより、ストロボ５１１の充電または発光動作を行う。また、ＳＣＰＵ５１６は、外部通信部４１１およびストロボ通信部５１５を介してＢＣＰＵ２１９と通信を行い、タッチパネル２１３がタッチされたタッチ位置情報を受信するとともに、外付けストロボ装置５の充電状態およびストロボＦＲＯＭ５１３に記憶されたストロボ操作アイコン画像データを送信する。
【０１４３】
つぎに、本実施の形態３にかかるカメラシステム１００のＢＣＰＵ２１９が行う動作について説明する。図２５は、ＢＣＰＵ２１９が行う処理の概要を示すフローチャートである。なお、以下においては、外部機器のアクセサリとして外付けストロボ装置５を例に説明する。
【０１４４】
図２５において、ステップＳ５０１〜ステップＳ５０２は、図６に示したステップＳ１０１〜ステップＳ１０２それぞれに対応する。
【０１４５】
続いて、ＢＣＰＵ２１９は、カメラシステム１００の撮影モードやメニュー表示の入力を受け付ける標準アイコンを表示部２１１の操作アイコン領域２１１ｂに表示させる（ステップＳ５０３）。具体的には、図２６に示すように、ＢＣＰＵ２１９は、表示部２１１のアイコン操作領域２１１ｂに標準アイコン（Ａ４１〜Ａ４６）を表示させる。
【０１４６】
アイコンＡ４１は、画像表示領域２１１ａにカメラシステム１００の撮影モード設定画面の表示を受け付けるアイコンである。アイコンＡ４２は、ユーザにより割り当てられた操作機能の実行を受け付けるアイコンである。アイコンＡ４３は、動画撮影の開始を受け付けるアイコンである。アイコンＡ４４は、撮影した画像の再生表示を受け付けるアイコンである。アイコンＡ４５は、表示部２１１の画像表示領域２１１ａに各種情報の表示を受け付けるアイコンである。アイコンＡ４６は、表示部２１１の画像表示領域２１１ａに各種メニュー設定画像の表示を受け付けるアイコンである。
【０１４７】
ステップＳ５０３の後、ＢＣＰＵ２１９は、交換レンズ装置３から取得したレンズデータの中にレンズ操作データが有るか否かを判断する（ステップＳ５０４）。交換レンズ装置３から取得したレンズデータの中にレンズ操作データが有るとＢＣＰＵ２１９が判断した場合（ステップＳ５０４：Ｙｅｓ）、ＢＣＰＵ２１９は、レンズ操作データに対応するレンズ選択アイコンを表示部２１１のアイコン操作領域２１１ｂに表示する（ステップＳ５０５）。具体的には、図２７に示すように、ＢＣＰＵ２１９は、ＬアイコンＡ５２を表示部２１１のアイコン操作領域２１１ｂに表示するとともに、ＢアイコンＡ５１を表示部２１１のアイコン操作領域２１１ｂに表示する。ＢアイコンＡ５１は、表示部２１１のアイコン操作領域２１１ｂに標準アイコンの表示を受け付けるアイコンである。なお、ＬアイコンＡ５２について後述する。その後、ＢＣＰＵ２１９は、ステップＳ５０６へ移行する。
【０１４８】
これに対して、交換レンズ装置３から取得したレンズデータの中にレンズ操作データが無いとＢＣＰＵ２１９が判断した場合（ステップＳ５０４：Ｎｏ）、ＢＣＰＵ２１９は、ステップＳ５０６へ移行する。
【０１４９】
ステップＳ５０６〜ステップＳ５０９は、図６に示したステップＳ１０４〜Ｓ１０７それぞれに対応する。
【０１５０】
ステップＳ５１０において、ＢＣＰＵ２１９は、アクセサリが本体部４に接続されたか否かを判断する。アクセサリが本体部４に接続されているとＢＣＰＵ２１９が判断した場合（ステップＳ５１０：Ｙｅｓ）、ＢＣＰＵ２１９は、後述するステップＳ５１１へ移行する。一方、アクセサリが本体部４に接続されていないとＢＣＰＵ２１９が判断した場合（ステップＳ５１０：Ｎｏ）、ＢＣＰＵ２１９は、後述するステップＳ５３２へ移行する。
【０１５１】
ステップＳ５１１において、ＢＣＰＵ２１９は、外部通信部４１１およびストロボ通信部５１５を介してＳＣＰＵ５１６とアクセサリ通信を行う。具体的には、ＢＣＰＵ２１９は、外付けストロボ装置５のストロボデータを取得してＳＤＲＡＭ２１５に記憶する。
【０１５２】
続いて、ＢＣＰＵ２１９は、外付けストロボ装置５から取得したストロボデータにアクセサリ操作データが有るか否かを判断する（ステップＳ５１２）。アクセサリ操作データが有るとＢＣＰＵ２１９が判断した場合（ステップＳ５１２：Ｙｅｓ）、ＢＣＰＵ２１９は、表示部２１１のアイコン操作領域２１１ｂにアクセサリ選択アイコンを表示させる（ステップＳ５１３）。具体的には、図２８に示すように、ＢＣＰＵ２１９は、アクセサリ操作データに対応するアクセサリ選択アイコンＡ５を表示部２１１のアイコン操作領域２１１ｂに表示させる。その後、ステップＳ５１４へ移行する。
【０１５３】
これに対して、外付けストロボ装置５から取得したストロボデータにアクセサリ操作データが無いとＢＣＰＵ２１９が判断した場合（ステップＳ５１２：Ｎｏ）、ＢＣＰＵ２１９は、後述するステップＳ５１４へ移行する。
【０１５４】
ステップＳ５１４〜Ｓ５１５は、図６に示したステップＳ１０８およびステップＳ１０９それぞれに対応する。
【０１５５】
ステップＳ５１５の後、ＢＣＰＵ２１９は、ＬＣＰＵ３１２およびＳＣＰＵ５１６から受信したデータに基づいて、表示部２１１のアイコン操作領域２１１ｂに表示されるアイコンの表示を切換えるアイコン表示切換処理を実行する（ステップＳ５１６）。なお、アイコン表示切換処理の内容について後述する。
【０１５６】
ステップＳ５１７〜ステップＳ５２７は、図６に示したステップＳ１１０〜ステップＳ１２０それぞれに対応する。
【０１５７】
ステップＳ５２７の後、ＢＣＰＵ２１９は、ステップＳ５１６のアイコン表示切換処理を実行する（ステップＳ５２８）。なお、アイコン表示切換処理の内容については後述する。
【０１５８】
ステップＳ５２９〜ステップＳ５３１は、図６に示したステップＳ１２１〜ステップＳ１２３それぞれに対応する。
【０１５９】
ステップＳ５３２において、ＢＣＰＵ２１９は、本体部４からアクセサリが取り外されたか否かを判断する。本体部４からアクセサリが取り外されたとＢＣＰＵ２１９が判断した場合（ステップＳ５３２：Ｙｅｓ）、ＢＣＰＵ２１９は、表示部２１１のアイコン操作領域２１１ｂに表示されているアイコンの表示を切換え（ステップＳ５３３）、ステップＳ５１４へ移行する。一方、本体部４からアクセサリが取り外されていないとＢＣＰＵ２１９が判断した場合（ステップＳ５３２：Ｎｏ）、ＢＣＰＵ２１９は、ステップＳ５１４へ移行する。
【０１６０】
ステップＳ５３４〜ステップＳ５３５は、図６に示したステップＳ１２４〜ステップＳ１２５それぞれに対応する。
【０１６１】
つぎに、図２５のステップＳ５１６およびステップＳ５２８で示したアイコン表示切換処理の概要について説明する。図２９は、図２５に示したアイコン表示切換処理の概要を示すフローチャートである。
【０１６２】
図２９に示すように、ＢＣＰＵ２１９は、本体通信部２１８およびレンズ通信部３１１を介してＬＣＰＵ３１２からレンズ操応画像データを受信したか否かを判断する（ステップＳ６０１）。ＬＣＰＵ３１２からレンズ操作画像データを受信したとＢＣＰＵ２１９が判断した場合（ステップＳ６０１：Ｙｅｓ）、ＢＣＰＵ２１９は、後述するステップＳ６０２へ移行する。一方、ＬＣＰＵ３１２からレンズ操作画像データを受信していないとＢＣＰＵ３１２が判断した場合（ステップＳ６０１：Ｎｏ）、ＢＣＰＵ２１９は、後述するステップＳ６０５へ移行する。
【０１６３】
ステップＳ６０２において、ＢＣＰＵ２１９は、外部通信部４１１およびストロボ通信部５１５を介してＳＣＰＵ５１６からアクセサリ操作画像データの削除指示を受信したか否かを判断する。ＳＣＰＵ５１６からアクセサリ操作画像データの削除指示を受信したとＢＣＰＵ２１９が判断した場合（ステップＳ６０２：Ｙｅｓ）、ＢＣＰＵ２１９は、ステップＳ６０３へ移行する。一方、ＳＣＰＵ５１６からアクセサリ操作画像データの削除指示を受信していないとＢＣＰＵ２１９が判断した場合（ステップＳ６０２：Ｎｏ）、ＢＣＰＵ２１９は、この判断を続ける。
【０１６４】
続いて、ＢＣＰＵ２１９は、ＳＣＰＵ５１６から受信したアクセサリ操作画像データの削除指示に基づいて、表示部２１１のアイコン操作領域２１１ｂに表示しているアクセサリ操作アイコンを削除し（ステップＳ６０３）、ＬＣＰＵ３１２から受信したレンズ操作画像データに対応するレンズ操作アイコンを表示部２１１のアイコン操作領域２１１ｂに表示する（ステップＳ６０４）。具体的には、図３０に示すように、ＢＣＰＵ２１９は、アクセサリ操作アイコン（図３０（ａ））を削除して、レンズ操作アイコンを表示部２１１のアイコン操作領域２１１ｂに表示させる（図３０（ｂ））。その後、ＢＣＰＵ２１９は、図２５のメインルーチンへ戻る。
【０１６５】
ステップＳ６０５において、ＢＣＰＵ２１９は、外部通信部４１１およびストロボ通信部５１５を介してＳＣＰＵ５１６からアクセサリ操作画像データを受信したか否かを判断する。ＳＣＰＵ５１６からアクセサリ操作画像データを受信したとＢＣＰＵ２１９が判断した場合（ステップＳ６０５：Ｙｅｓ）、ＢＣＰＵ２１９は、後述するステップＳ６０６へ移行する。一方、ＳＣＰＵ５１６からアクセサリ操作画像データを受信していないとＢＣＰＵ２１９が判断した場合（ステップＳ６０５：Ｎｏ）、ＢＣＰＵ２１９は、後述するステップＳ６０９へ移行する。
【０１６６】
ステップＳ６０６において、ＢＣＰＵ２１９は、本体通信部２１８およびレンズ通信部３１１を介してＬＣＰＵ３１２からレンズ操作画像データの削除指示を受信したか否かを判断する。ＬＣＰＵ３１２からレンズ操作画像データの削除指示を受信したとＢＣＰＵ２１９が判断した場合（ステップＳ６０６：Ｙｅｓ）、ＢＣＰＵ２１９は、ステップＳ６０７へ移行する。一方、ＬＣＰＵ３１２からレンズ操作画像データの削除指示を受信していないとＢＣＰＵ２１９が判断した場合（ステップＳ６０６：Ｎｏ）、ＢＣＰＵ２１９は、この判断を続ける。
【０１６７】
続いて、ＢＣＰＵ２１９は、ＬＣＰＵ３１２から受信したレンズ操作画像データの削除指示に基づいて、表示部２１１のアイコン操作領域２１１ｂに表示しているレンズ操作アイコンを削除し（ステップＳ６０７）、ＳＣＰＵ５１６から受信したアクセサリ操作画像データに対応するアクセサリ操作アイコンを表示部２１１のアイコン操作領域２１１ｂに表示する（ステップＳ６０８）。具体的には、図３１に示すように、ＢＣＰＵ２１９は、レンズ操作アイコン（図３１（ａ））を削除して、アクセサリ操作アイコンを表示部２１１のアイコン操作領域２１１ｂに表示させる（図３１（ｂ））。その後、ＢＣＰＵ２１９は、図２５のメインルーチンへ戻る。
【０１６８】
ステップＳ６０９において、ＢＣＰＵ２１９は、ＬＣＰＵ３１２からレンズ操作画像データの削除指示およびＳＣＰＵ５１６からアクセサリ操作画像データの削除指示を受信したか否かを判断する。ＬＣＰＵ３１２からレンズ操作画像データの削除指示およびＳＣＰＵ５１６からアクセサリ操作画像データの削除指示を受信したとＢＣＰＵ２１９が判断した場合（ステップＳ６０９：Ｙｅｓ）、ＢＣＰＵ２１９は、後述するステップＳ６１０へ移行する。一方、ＬＣＰＵ３１２からレンズ操作画像データの削除指示およびＳＣＰＵ５１６からアクセサリ操作画像データの削除指示を受信していないとＢＣＰＵ２１９が判断した場合（ステップＳ６０９：Ｎｏ）、ＢＣＰＵ２１９は、図２５のメインルーチンへ戻る。
【０１６９】
ステップＳ６１０において、ＢＣＰＵ２１９は、ＬＣＰＵ３１２から受信したレンズ操作画像データの削除指示およびＳＣＰＵ５１６から受信したアクセサリ操作画像データの削除指示に基づいて、表示部２１１のアイコン操作領域２１１ｂに表示しているレンズ操作アイコンまたはアクセサリ操作アイコンを削除する（ステップＳ６１０）。
【０１７０】
続いて、ＢＣＰＵ２１９は、表示部２１１のアイコン操作領域２１１ｂに標準アイコンを表示させる（ステップＳ６１１）。その後、ＢＣＰＵ２１９は、図２５のメインルーチンへ戻る。
【０１７１】
つぎに、本実施の形態３にかかるカメラシステム１００のＬＣＰＵ３１２が行う動作について説明する。図３２は、ＬＣＰＵ３１２が行う処理の概要を示すフローチャートである。
【０１７２】
図３２に示すように、ＬＣＰＵ３１２は、本体通信部２１８およびレンズ通信部３１１を介してＢＣＰＵ２１９からタッチ位置情報を受信したか否かを判断する（ステップＳ７０１）。ＢＣＰＵ２１９からタッチ位置情報を受信したとＬＣＰＵ３１２が判断した場合（ステップＳ７０１：Ｙｅｓ）、ＬＣＰＵ３１２は、ステップＳ７０２へ移行する。一方、ＢＣＰＵ３１２からタッチ位置情報を受信していないとＬＣＰＵ３１２が判断した場合（ステップＳ７０１：Ｎｏ）、ＬＣＰＵ３１２は、この判断を同期周期毎に繰り返す。
【０１７３】
続いて、ＬＣＰＵ３１２は、ＢＣＰＵ２１９から受信したタッチ位置情報に基づいて、ＡアイコンＡ５３またはＢアイコンＡ５１がタッチされたか否かを判断する（ステップＳ７０２）。ＡアイコンＡ５３またはＢアイコンＡ５１がタッチされた場合（ステップＳ７０２：Ｙｅｓ）、ＬＣＰＵ３１２は、ステップＳ７０３へ移行する。一方、ＡアイコンＡ５３またはＢアイコンＡ５１がタッチされていないとＬＣＰＵ３１２が判断した場合（ステップＳ７０２：Ｎｏ）、ＬＣＰＵ３１２は、ステップＳ７０４へ移行する。
【０１７４】
ステップＳ７０３において、ＬＣＰＵ３１２は、本体通信部２１８およびレンズ通信部３１１を介してレンズ操作画像データの削除指示をＢＣＰＵ２１９に送信する（ステップＳ７０３）。その後、ＬＣＰＵ３１２は、本処理を終了する。
【０１７５】
ステップＳ７０４〜ステップＳ７１５は、図１６に示したステップＳ４０２〜ステップＳ４１３それぞれに対応する。
【０１７６】
つぎに、本実施の形態３にかかるカメラシステム１００のＳＣＰＵ５１６が行う動作について説明する。図３３は、ＳＣＰＵ５１６が行う処理の概要を示すフローチャートである。
【０１７７】
図３３に示すように、ＳＣＰＵ５１６は、外部通信部４１１およびストロボ通信部５１５を介してＢＣＰＵ２１９からタッチ位置情報を受信したか否かを判断する（ステップＳ８０１）。ＢＣＰＵ２１９からタッチ位置情報を受信したとＳＣＰＵ５１６が判断した場合（ステップＳ８０１：Ｙｅｓ）、ＳＣＰＵ５１６は、ステップＳ８０２へ移行する。一方、ＢＣＰＵ２１９からタッチ位置情報を受信していないとＳＣＰＵ５１６が判断した場合（ステップＳ８０１：Ｎｏ）、ＳＣＰＵ５１６は、この判断を同期周期毎に繰り返す。
【０１７８】
続いて、ＳＣＰＵ５１６は、ＢＣＰＵ２１９から受信したタッチ位置情報に基づいて、ＬアイコンＡ５２またはＢアイコンＡ５１がタッチされたか否かを判断する（ステップＳ８０２）。ＬアイコンＡ５２またはＢアイコンＡ５１がタッチされたとＳＣＰＵ５１６が判断した場合（ステップＳ８０２：Ｙｅｓ）、ＳＣＰＵ５１６は、後述するステップＳ８０３へ移行する。一方、ＬアイコンＡ５２またはＢアイコンＡ５１がタッチされていないとＳＣＰＵ５１６が判断した場合（ステップＳ８０２：Ｎｏ）、ＳＣＰＵ５１６は、後述するステップＳ８０４へ移行する。
【０１７９】
ステップＳ８０３において、ＳＣＰＵ５１６は、外部通信部４１１およびストロボ通信部５１５を介してアクセサリ操作画像データの削除指示をＢＣＰＵ２１９に送信する。その後、ＳＣＰＵ５１６は、本処理を終了する。
【０１８０】
ステップＳ８０４において、ＳＣＰＵ５１６は、ＢＣＰＵ２１９から受信したタッチ位置情報に基づいて、ＩアイコンＡ６５がタッチされたか否かを判断する。ＩアイコンＡ６５がタッチされたとＳＣＰＵ５１６が判断した場合（ステップＳ８０４：Ｙｅｓ）、ＳＣＰＵ５１６は、後述するステップＳ８０５へ移行する。一方、ＩアイコンＡ６５がタッチされていないとＳＣＰＵ５１６が判断した場合（ステップＳ８０４：Ｎｏ）、ＳＣＰＵ５１６は、後述するステップＳ８０６へ移行する。
【０１８１】
ステップＳ８０５において、ＳＣＰＵ５１６は、外付けストロボ情報画像データをＢＣＰＵ２１９に送信する。これにより、ユーザは、表示部２１１が表示する外付けストロボ情報画像で外付けストロボ装置５の情報を確認することができる。その後、ＳＣＰＵ５１６は、本処理を終了する。
【０１８２】
ステップＳ８０６において、ＳＣＰＵ５１６は、ＢＣＰＵ２１９から受信したタッチ位置情報に基づいて、ＧアイコンＡ６がタッチされたか否かを判断する。ＧアイコンＡ６がタッチされたとＳＣＰＵ５１６が判断した場合（ステップＳ８０６：Ｙｅｓ）、ＳＣＰＵ５１６は、後述するステップＳ８０７へ移行する。一方、ＧアイコンＡ６がタッチされていないとＳＣＰＵ５１６が判断した場合（ステップＳ８０６：Ｎｏ）、ＳＣＰＵ５１６は、後述するステップＳ８０８へ移行する。
【０１８３】
ステップＳ８０７において、ＳＣＰＵ５１６は、外部通信部４１１およびストロボ通信部５１５を介して外付けストロボ装置５の操作ガイド情報画像をＢＣＰＵ２１９に送信する。これにより、ユーザは、表示部２１１が表示する外付けストロボ装置の操作ガイド画像を確認することで、アイコンの操作内容を把握することができる。その後、ＳＣＰＵ５１６は、本処理を終了する。
【０１８４】
ステップＳ８０８において、ＳＣＰＵ５１６は、ＢＣＰＵ２１９から受信しタッチ位置情報に基づいて、ＡＵＴＯアイコンＡ６１がタッチされたか否かを判断する。ＡＵＴＯアイコンＡ６１がタッチされたとＳＣＰＵ５１６が判断した場合（ステップＳ８０８：Ｙｅｓ）、ＳＣＰＵ５１６は、後述するステップＳ８０９へ移行する。一方、ＡＵＴＯアイコンＡ６１がタッチされていないとＳＣＰＵ５１６が判断した場合（ステップＳ８０８：Ｎｏ）、ＳＣＰＵ５１６は、後述するステップＳ８１０へ移行する。
【０１８５】
ステップＳ８０９において、ＳＣＰＵ５１６は、撮像する際の明るさに応じてストロボ５１１を発光させる自動発光選択を設定し、本処理を終了する。
【０１８６】
ステップＳ８１０において、ＳＣＰＵ５１６は、ＢＣＰＵ２１９から受信したタッチ位置情報に基づいて、赤目アイコンＡ６２がタッチされたか否かを判断する。赤目アイコンＡ６２がタッチされたとＳＣＰＵ５１６が判断した場合（ステップＳ８１０：Ｙｅｓ）、ＳＣＰＵ５１６は、後述するステップＳ８１１へ移行する。一方、赤目アイコンＡ６２がタッチされていないとＳＣＰＵ５１６が判断した場合（ステップＳ８１０：Ｎｏ）、ＳＣＰＵ５１６は、後述するステップＳ８１２へ移行する。
【０１８７】
ステップＳ８１１において、ＳＣＰＵ５１６は、ストロボ５１１が発光することで被写体の目が赤目になることを低減する赤目発光を設定し、本処理を終了する。
【０１８８】
ステップＳ８１２において、ＳＣＰＵ５１６は、ＢＣＰＵ２１９から送信されたタッチ位置情報に基づいて、強制発光アイコンＡ６３がタッチされたか否かを判断する。強制発光アイコンＡ６３がタッチされたとＳＣＰＵ５１６が判断した場合（ステップＳ８１２：Ｙｅｓ）、ＳＣＰＵ５１６は、後述するステップＳ８１３へ移行する。一方、強制発光アイコンＡ６３がタッチされていないとＳＣＰＵ５１６が判断した場合（ステップＳ８１２：Ｎｏ）、ＳＣＰＵ５１６は、後述するステップＳ８１４へ移行する。
【０１８９】
ステップＳ８１３において、ＳＣＰＵ５１６は、撮影する際の明るさに関わらず、ストロボ５１１に強制的に発光させる強制発光を設定し、本処理を終了する。
【０１９０】
ステップＳ８１４において、ＳＣＰＵ５１６は、ＢＣＰＵ２１９から送信されたタッチ位置情報に基づいて、発光禁止アイコンＡ６４がタッチされたか否かを判断する。発光禁止アイコンＡ６４がタッチされたとＳＣＰＵ５１６が判断した場合（ステップＳ８１４：Ｙｅｓ）、ＳＣＰＵ５１６は、後述するステップＳ８１５へ移行する。一方、発光禁止アイコンＡ６４がタッチされていないとＳＣＰＵ５１６が判断した場合（ステップＳ８１４：Ｎｏ）、ＳＣＰＵ５１６は、本処理を終了する。
【０１９１】
ステップＳ８１５において、ＳＣＰＵ５１６は、撮影する際の明るさに関わらず、ストロボ５１１の発光を禁止する発光禁止を設定し、本処理を終了する。
【０１９２】
以上説明した本実施の形態３によれば、ＢＣＰＵ２１９が、操作アイコンを切換えるアイコン操作で表示部２１１の操作アイコンの削除データと、次に表示する操作アイコンの表示データとをそれぞれの外部機器から取得し、取得したデータに基づいて、表示の切換処理を行えばよいので、複数の外部機器が本体部４に装着されている場合でも、既存の本体部２でファームアップや新規な本体部２の導入を行うことなく、多様な操作を受け付けることができる。この結果、ユーザは、交換レンズ装置４が有する固有の操作または新規の操作を行うことができる。さらに、ＬＣＰＵ３１２およびＳＣＰＵ５１６がそれぞれ交換レンズ装置３および外付けストロボ装置５の処理を行うので、ＢＣＰＵ２１９の処理能力がそれほど高くなくても、多種多様な操作を行うことができる。
【０１９３】
（実施の形態４）
つぎに、本発明の実施の形態４について説明する。本発明の実施の形態４にかかるカメラシステムは、レンズ操作データ記憶部およびストロボ操作データが上述した実施の形態３のカメラシステムと異なる。さらに、本発明の実施の形態４にかかるカメラシステムＢＣＰＵが行う処理が異なる。このため、以下においては、レンズ操作データ記憶部が記憶するレンズ操作データを説明後、ＢＣＰＵ２１９が行う処理について説明する。なお、図面の記載において、同一の部分には同一の符号を付している。
【０１９４】
図３４は、レンズ操作データ記憶部３０９ａが記憶するレンズ操作データとしてのレンズ操作データテーブルの一例を示す図である。
【０１９５】
図３４に示すように、レンズ操作データテーブルＴ４には、操作種別、アイコン表示位置、アイコン表示サイズ、アイコン画像データ、属性および操作対応データがそれぞれ記載されている。たとえば、操作種別が広角方向ズーム駆動の場合、アイコン表示位置が（１０，１５）、アイコン表示サイズが３０×３０、アイコン画像がアイコン画像データ１、属性が０１および操作対応データがコマンド情報１（駆動コマンド，停止コマンド）として記載されている。さらに、操作種別が無限方向フォーカス駆動の場合、アイコン表示位置が（６０，６５）、アイコン表示サイズが３０×３０、アイコン画像がアイコン画像データ４、属性が０１および操作対応データがコマンド情報４（駆動コマンド，停止コマンド）として記載されている。
【０１９６】
このように、レンズ操作データ記憶部３０９ａは、操作アイコンデータと操作対応データとを対応付けて記憶する。なお、ストロボ操作データ記憶部５１３ａが記憶するストロボ操作データもほぼ同様の内容のため、説明を省略する。
【０１９７】
つぎに、本実施の形態４にかかるカメラシステム１００の動作について説明する。図３５は、カメラシステム１００が行う処理の概要を示すフローチャートである。
【０１９８】
図３５において、ステップＳ９０１〜ステップＳ９１４は、図２５に示したステップＳ５０１〜ステップＳ５１５それぞれに対応する。ステップＳ９０２においては、ＢＣＰＵ２１９は、本体通信部２１８およびレンズ通信部３１１を介してＬＣＰＵ３１２から光学データ、レンズ操作データおよびレンズ駆動データを一括で取得してＳＤＲＡＭ２１５に記憶する。
【０１９９】
ステップＳ９１５において、ＢＣＰＵ２１９は、タッチ位置に応じてカメラシステム１００の各種撮影操作を行うタッチ操作処理を実行する。なお、タッチ操作処理の内容について後述する。
【０２００】
ステップＳ９１６〜ステップＳ９２５は、図２５に示したステップＳ５１７〜ステップＳ５２６それぞれに対応する。
【０２０１】
ステップＳ９２６において、ＢＣＰＵ２１９は、ステップＳ９１５と同様のタッチ操作処理を実行する。なお、タッチ操作処理の内容については後述する。
【０２０２】
ステップＳ９２７〜ステップＳ９３３は、図２５に示したステップＳ５２９〜ステップＳ５３５それぞれに対応する。ステップＳ９３３の後、カメラシステム１００は、本処理を終了する。
【０２０３】
つぎに、図３５に示したステップＳ９１５およびステップＳ９２６のタッチ操作処理について説明する。図３６は、図３５に示すタッチ操作処理の概要を示すフローチャートである。
【０２０４】
図３５において、ＢＣＰＵ２１９は、ＢアイコンＡ５１（図２８を参照）がタッチされたか否かを判断する（ステップＳ１００１）。ＢアイコンＡ５１がタッチされたとＢＣＰＵ２１９が判断した場合（ステップＳ１００１：Ｙｅｓ）、ＢＣＰＵ２１９は、標準アイコンを表示部２１１のアイコン操作領域２１１ｂに表示させる（ステップＳ８０２）。その後、カメラシステム１００は、図３５のメインルーチンへ戻る。一方、ＢアイコンＡ５１がタッチされていないとＢＣＰＵ２１９が判断した場合（ステップＳ１００１：Ｎｏ）、カメラシステム１００は、ステップＳ１００３へ移行する。
【０２０５】
続いて、ＢＣＰＵ２１９は、ＬアイコンＡ５２がタッチされたか否かを判断する。ＬアイコンＡ５２がタッチされたとＢＣＰＵ２１９が判断した場合（ステップＳ１００３：Ｙｅｓ）、ＢＣＰＵ２１９は、ＬＣＰＵ２１９から取得したレンズデータに含まれるレンズ操作データに対応するレンズ操作アイコンを表示部２１１のアイコン操作領域２１１ｂに表示させる（ステップＳ１００４）。その後、カメラシステム１００は、図３５に示すメインルーチンへ戻る。一方、ＬアイコンＡ５２がタッチされていないとＢＣＰＵ２１９が判断した場合（ステップＳ１００３：Ｎｏ）、カメラシステム１００は、ステップＳ１００５へ移行する。
【０２０６】
その後、ＢＣＰＵ２１９は、ＡアイコンＡ５３がタッチされたか否かを判断する（ステップＳ１００５）。ＡアイコンＡ５３がタッチされたとＢＣＰＵ２１９が判断した場合（ステップＳ１００５：Ｙｅｓ）、ＢＣＰＵ２１９は、ＳＣＰＵ５１６から取得したストロボデータに含まれるストロボ操作データに対応するアクセサリ操作アイコンを表示部２１１のアイコン操作領域２１１ｂに表示させる（ステップＳ１００６）。その後、カメラシステム１００は、図３５に示すメインルーチンへ戻る。一方、ＡアイコンＡ５３がタッチされていないとＢＣＰＵ２１９が判断した場合（ステップＳ１００５：Ｎｏ）、カメラシステム１００は、ステップＳ１００７へ移行する。
【０２０７】
続いて、ＢＣＰＵ２１９は、表示部２１１がアイコン操作領域２１１ｂ上で標準アイコン（図２７を参照）を表示している際に標準アイコン（Ａ４１〜Ａ４６）がタッチされたか否かを判断する（ステップＳ１００７）。標準アイコンがタッチされたとＢＣＰＵ２１９が判断した場合（ステップＳ１００７：Ｙｅｓ）、ＢＣＰＵ２１９は、選択された標準アイコンの対応処理を実行する（ステップＳ１００８）。たとえば、ＢＣＰＵ２１９は、モードアイコンＡ４１が選択された場合、撮影モードに関する情報を表示部２１１に表示させる。その後、カメラシステム１００は、図３５に示すメインルーチンへ戻る。一方、標準アイコンがタッチされていないとＢＣＰＵ２１９が判断した場合（ステップＳ１００７：Ｎｏ）、カメラシステム１００は、ステップＳ１００９へ移行する。
【０２０８】
その後、ＢＣＰＵ２１９は、表示部２１１がアイコン操作領域２１１ｂ上でレンズアイコン（図３０（ｂ）を参照）を表示している際にレンズアイコンＡ１〜Ａ６がタッチされたか否かを判断する（ステップＳ１００９）。レンズアイコンがタッチされたとＢＣＰＵ２１９が判断した場合（ステップＳ１００９：Ｙｅｓ）、ＢＣＰＵ２１９は、選択されたレンズアイコンに対応するレンズ動作を交換レンズ装置３に指示する（ステップＳ１０１０）。たとえば、ＢＣＰＵ２１９は、ＷアイコンＡ１が選択された場合、ＬＣＰＵ３１２から取得したレンズ操作データテーブルＴ４を参照して、コマンド情報１に対応する駆動命令を本体通信部２１８およびレンズ通信部３１１を介してＬＣＰＵ３１２に送信して交換レンズ装置３に実行させる。その後、カメラシステム１００は、図３５のメインルーチンへ戻る。一方、レンズアイコンがタッチされていないとＢＣＰＵ２１９が判断した場合（ステップＳ１００９：Ｎｏ）、カメラシステム１００は、ステップＳ１０１１へ移行する。
【０２０９】
続いて、ＢＣＰＵ２１９は、表示部２１１がアイコン操作領域２１１ｂでアクセサリアイコン（図３１（ｂ）を参照）を表示している際にアクセサリアイコンＡ６１〜Ａ６４がタッチされたか否かを判断する（ステップＳ１０１１）。アクセサリアイコンＡ６１〜Ａ
６４がタッチされたとＢＣＰＵ２１９が判断した場合（ステップＳ１０１１：Ｙｅｓ）、ＢＣＰＵ２１９は、選択されたアクセサリアイコンに対応するアクセサリ動作を外付けストロボ装置５に指示する（ステップＳ１０１２）。たとえば、ＢＣＰＵ２１９は、ＡＵＴＯアイコンＡ６１が選択された場合、ＳＣＰＵ５１６から取得したストロボ操作テーブル（図示せず）を参照して、コマンド情報に対応する駆動命令を外部通信部４１１およびストロボ通信部５１５を介してＳＣＰＵ５１６に送信して外付けストロボ装置５に実行させる。その後、カメラシステム１００は、図３５のメインルーチンへ戻る。一方、アクセサリアイコンがタッチされていないとＢＣＰＵ２１９が判断した場合（ステップＳ１０１１：Ｎｏ）、カメラシステム１００は、ステップＳ１０１３へ移行する。
【０２１０】
ステップＳ１０１３において、ＢＣＰＵ２１９は、他の操作処理を実行する。具体的には、ＢＣＰＵ２１９は、選択アイコンＢ１に対応した操作処理を実行する。その後、カメラシステム１００は、図３５のメインルーチンへ戻る。
【０２１１】
以上説明した本発明の実施の形態４によれば、ＢＣＰＵ２１９が、ＬＣＰＵ３１２から送信された操作情報に含まれる操作画像データに対応する操作画像を表示部２１１に表示させるとともに、操作画像上でタッチパネル２１３がタッチ位置情報を出力した場合、このタッチ位置情報と操作画像とによって定まる動作情報に基づいて、交換レンズ装置３の動作を一括して指示する。この結果、交換レンズ装置３の駆動を瞬時に行わせることができる。
【０２１２】
（その他の実施の形態）
また、上述した実施の形態では、特許請求の範囲、明細書および図面中の動作フローに関して、便宜上「まず、」や「つぎに、」等を用いて説明したとしても、この順で実施することが必須であることを意味するものではない。
【０２１３】
また、上述した実施の形態では、レンズマウントに交換レンズ装置を装着していたが、たとえば、画像を投射するプロジェクタ装置等を装着できるようにし、本体部からの操作で画像の投射を行えるようにしてもよい。
【０２１４】
また、上述した実施の形態では、アクセサリの外部機器をホットシューに接続していたが、たとえばホットシュー以外に、外部機器と双方向に通信可能なアクセサリポートを設け、このアクセサリポートに外部機器を接続するようにしてもよい。この場合、有線または無線であってもよい。
【０２１５】
また、上述した実施の形態では、撮像装置としてデジタル一眼レフカメラとして説明していたが、たとえばアクセサリ等を装着可能なデジタルカメラ、デジタルビデオカメラおよび撮影機能を有する携帯電話やタブレット型携帯機器等の電子機器にも適用することができる。
【符号の説明】
【０２１６】
１，１００      カメラシステム
２，４          本体部
３              交換レンズ装置
５              外付けストロボ装置
２０１          シャッタ
２０２          シャッタ駆動部
２０３          撮像素子
２０４          撮像素子駆動部
２０５          信号処理部
２０６          Ａ／Ｄ変換部
２０７，５１１  ストロボ
２０８，５１２  ストロボ駆動部
２０９          画像処理部
２１０          入力部
２１１          表示部
２１２          表示駆動部
２１３          タッチパネル
２１４          ＦＲＯＭ
２１５          ＳＤＲＡＭ
２１６          記録媒体
２１７          電源部
２１８          本体通信部
２１９          制御部
３０１          フォーカスレンズ
３０２          レンズ駆動部
３０３          レンズ位置検出部
３０４          絞り
３０５          絞り駆動部
３０６          ズームレンズ
３０７          ズーム駆動部
３０８          ズーム位置検出部
３０９          レンズＦＲＯＭ
３０９ａ        レンズ操作データ記憶部
３０９ｂ        レンズ駆動データ記憶部
３１０          レンズＲＡＭ
３１１          レンズ通信部
３１２          レンズ制御部
４１１          外部通信部
５１３          ストロボＦＲＯＭ
５１３ａ        ストロボ操作データ記憶部
５１３ｂ        ストロボ駆動データ記憶部
５１４          ストロボＲＡＭ
５１５          ストロボ通信部
５１６          ストロボ制御部
【図１】
2013026664.tif 000003
【図２】
2013026664.tif 000004
【図３】
2013026664.tif 000005
【図４】
2013026664.tif 000006
【図５】
2013026664.tif 000007
【図６】
2013026664.tif 000008
【図７】
2013026664.tif 000009
【図８】
2013026664.tif 000010
【図９】
2013026664.tif 000011
【図１０】
2013026664.tif 000012
【図１１】
2013026664.tif 000013
【図１２】
2013026664.tif 000014
【図１３】
2013026664.tif 000015
【図１４】
2013026664.tif 000016
【図１５】
2013026664.tif 000017
【図１６】
2013026664.tif 000018
【図１７】
2013026664.tif 000019
【図１８】
2013026664.tif 000020
【図１９】
2013026664.tif 000021
【図２０】
2013026664.tif 000022
【図２１】
2013026664.tif 000023
【図２２】
2013026664.tif 000024
【図２３】
2013026664.tif 000025
【図２４】
2013026664.tif 000026
【図２５】
2013026664.tif 000027
【図２６】
2013026664.tif 000028
【図２７】
2013026664.tif 000029
【図２８】
2013026664.tif 000030
【図２９】
2013026664.tif 000031
【図３０】
2013026664.tif 000032
【図３１】
2013026664.tif 000033
【図３２】
2013026664.tif 000034
【図３３】
2013026664.tif 000035
【図３４】
2013026664.tif 000036
【図３５】
2013026664.tif 000037
【図３６】
2013026664.tif 000038